【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
遠位末端を有する管状壁であって、該遠位末端が、外表面、内表面、遠位末端表面、および該遠位末端表面を通って伸長するポートを含み、管状壁遠位末端の内表面が、前記ポートに通じている内部の腔（internal cavity）を少なくとも部分的に囲む、管状壁；
遠位末端を含む、内部の腔内に配置されたコード；ならびに
管状壁の遠位末端表面の遠位に配置され、かつ前記ポート内に配置された伸長部を含むインプラントであって、該伸長部が、前記コードの遠位末端に取り外し可能に嵌合するように構成された、インプラント
を含む、治療用インプラントの送達および回収用装置。
【請求項２】
伸長部が伸長軸を含み、該伸長部が、管状壁の遠位末端表面に対して伸長軸の周りを回転可能である、請求項1記載の装置。
【請求項３】
伸長軸が、管状壁の縦軸に対して既定の角度で配置される、請求項2記載の装置。
【請求項４】
内部の腔内で管状壁の縦軸の方向に移動可能である伸長部が、嵌合部材が完全に内部の腔内に配置された近位末端を含む、請求項1〜3のいずれか一項記載の装置。
【請求項５】
管状壁が、内部の腔を取り囲む連続的な内部放射状表面を有する同心円の環状部分をさらに含む、請求項1〜4のいずれか一項記載の装置。
【請求項６】
管状壁、近位末端、遠位末端、遠位末端ポート、管腔（lumen）、遠位末端ポートの近位の規定の距離にある中間壁であって管状壁から管腔内に部分的に伸長する中間壁、を有するチューブ；
管腔内に配置され、かつ中間壁を越えて遠位に伸長するコード；ならびに
遠位末端ポートを通って伸長する伸長部を含むインプラントであって、該伸長部が管腔内の前記コードに取り外し可能に嵌合するように構成された、インプラント
を含む、治療用インプラントの送達および回収用装置。
【請求項７】
コードの一部が、管腔に配置された遠位表面を有する拡大部分を有する、請求項6記載の装置。
【請求項８】
チューブが、近位末端と遠位末端との間の中央部をさらに含み、該中央部が、管状壁の柔軟性を増加させるよう構成される、管状壁を少なくとも部分的に通って伸長する少なくとも一区分を含む、請求項6または7記載の装置。
【請求項９】
少なくとも一区分が、管状壁の削られた区分、溝、間隙、穴、螺旋状の刻み目、および減らした厚みからなる群より選択される、請求項8記載の装置。
【請求項１０】
チューブが縦軸をさらに含み、管状壁が近位末端および遠位末端で該縦軸を取り囲み、管状壁が中央部の一部で部分的に該縦軸を取り囲む、請求項8または9記載の装置。
【請求項１１】
管状壁が、管状壁の近位部分の長さに及ぶ第一の柔軟性プロフィール、管状壁の中央部の長さに及ぶ第二の柔軟性プロフィール、および管状壁の遠位部分の長さに及ぶ第三の柔軟性プロフィールを有し、第三の柔軟性プロフィールの柔軟性が遠位部分の長さにわたって変化する、請求項8〜10いずれか一項記載の装置。
【請求項１２】
少なくとも一区分に配置された放射線不透過性のマーカーをさらに含む、請求項8〜11のいずれか一項記載の装置。
【請求項１３】
患者の血管系内に送達されるように構成された送達チューブ；
管状壁軸を有する柔軟な管状壁を含み、かつ近位末端、遠位末端、それらを通る管腔を有する位置付けチューブであって、該位置付けチューブが、前記送達チューブの内部に配置されるように構成され、該遠位末端が、少なくとも部分的に内部の腔を囲む遠位壁を有し、かつポートが内部の腔と通じている、位置付けチューブ；
前記位置付けチューブと嵌合し、かつオペレータによって作動されるように構成されたアクチュエータ；
前記アクチュエータに連結した近位末端と、ポートに向かって遠位方向におよびポートから離れて近位方向に移動するように構成された遠位末端とを有する、前記位置付けチューブの管腔を通って伸長するコード；ならびに
前記ポートに配置されるよう構成された近位伸長部を有するインプラント
を含む、患者内でインプラントを位置付けるための装置であって、
コード遠位末端がポートに向かって遠位方向に移動する場合、近位伸長部がコード遠位末端と嵌合するように構成され、かつコード遠位末端がポートから離れて近位方向に移動する場合、近位伸長部が放出されるように構成されている、装置。
【請求項１４】
コード遠位末端が、ポート内へ遠位方向に移動するよう構成されている、請求項13記載の装置。
【請求項１５】
ポートが、管状壁軸に直交する開放部を含み、該開放部の寸法が、管状壁の内部直径より小さい、請求項13または14記載の装置。
【請求項１６】
ポートが、管状壁の内部直径より小さい軸方向直交開放部寸法を有し、
コードが、前記ポートの開放部寸法より小さい軸方向直交寸法を有し、かつ
インプラント近位伸長部が、前記コードの寸法と該伸長部の寸法との合計が開放部寸法より大きくなるように大きさを決められかつ構成された軸方向直交寸法を有する、
請求項15記載の装置。
【請求項１７】
コード遠位末端が、遠位壁の近位表面を有するアバットメント内に遠位方向に移動してポートの一部を閉塞するように構成される、請求項13〜16のいずれか一項記載の装置。
【請求項１８】
近位伸長部がボールを含む、請求項13〜17のいずれか一項記載の装置。
【請求項１９】
インプラントが神経コイルを含む、請求項13〜18のいずれか一項記載の装置。
【請求項２０】
位置付けチューブを送達チューブ内に挿入することおよび送達チューブを通ってスライドさせることを容易にするために該位置付けチューブにスライド外部表面を提供することを目的として該位置付けチューブの周りに位置付けられた位置付けチューブスリーブをさらに含む、請求項13〜19のいずれか一項記載の装置。
【手続補正２】
【補正対象書類名】明細書
【補正対象項目名】０１１２
【補正方法】変更
【補正の内容】
【０１１２】
本発明は、一定の態様を参照して開示してきたが、記述の態様に対する多数の改変、変更、および変化が可能であり、それらも添付の特許請求の範囲において画成される本発明の領域および範囲に含まれる。したがって、本発明は、記述の態様によって限定されず、以下の特許請求の範囲によって画成される完全な範囲、およびその同等物を有すると意図される。
[請求項10001]
インプラント嵌合開口部を画成する近位および遠位表面を有する遠位末端を有する管状壁であって、管状壁遠位末端の内表面が、インプラント嵌合開口部に通じている内部の腔(internal cavity)を画成する、管状壁;
内腔(inner lumen)に配置されたコード;ならびに
管状壁の遠位末端の遠位に配置され、かつインプラント嵌合開口部に配置された直線状の軸を有する伸長部を有するインプラントであって、該伸長部が管状壁の遠位末端に対して直線の軸の周りを回転可能である、インプラント
を含む、装置。
[請求項10002]
伸長部が嵌合部材を有する、請求項10001記載の装置。
[請求項10003]
嵌合部材が内部の腔内に配置される、請求項10002記載の装置。
[請求項10004]
嵌合部材が、管状壁によって画成されるチューブ内に配置される、請求項10002記載の装置。
[請求項10005]
嵌合部材が、インプラント嵌合開口部の近位に配置される、請求項10002記載の装置。
[請求項10006]
嵌合部材が、コードの末端の近位に配置される、請求項10002記載の装置。
[請求項10007]
嵌合部材が、コードに隣接して配置される、請求項10002記載の装置。
[請求項10008]
嵌合部材が、コードに接して配置される、請求項10002記載の装置。
[請求項10009]
嵌合部材が、管状壁に隣接して配置される、請求項10002記載の装置。
[請求項10010]
嵌合部材が、管状壁から離して配置される、請求項10002記載の装置。
[請求項10011]
嵌合部材が、内部の腔を画成する表面に隣接して配置される、請求項10002記載の装置。
[請求項10012]
嵌合部材が、内部の腔を画成する表面から離して配置される、請求項10002記載の装置。
[請求項10013]
嵌合部材が、装置の内表面に隣接して配置される、請求項10002記載の装置。
[請求項10014]
嵌合部材が、装置の内表面から離して配置される、請求項10002記載の装置。
[請求項10015]
管状壁の軸および遠位末端を有する管状壁であって、管状壁遠位末端が、インプラント嵌合開口部を画成する近位および遠位表面を有し、管状壁遠位末端の内表面が、インプラント嵌合開口部に通じる内部の腔を画成する、管状壁;
内部の腔に配置されたコード;ならびに
インプラント嵌合開口部に配置された伸長部を有するインプラントであって、該伸長部の近位末端が内部の腔内に完全に配置される嵌合部材を有し、該伸長部が内部の腔内で管状壁の軸の方向に移動可能である、インプラント
を含む、装置。
[請求項10016]
嵌合部材が、管状壁によって画成されるチューブ内に配置される、請求項10015記載の装置。
[請求項10017]
嵌合部材が、インプラント嵌合開口部の近位に配置される、請求項10015記載の装置。
[請求項10018]
嵌合部材が、コードの末端の近位に配置される、請求項10015記載の装置。
[請求項10019]
嵌合部材が、コードに隣接して配置される、請求項10015記載の装置。
[請求項10020]
嵌合部材が、コードに接して配置される、請求項10015記載の装置。
[請求項10021]
嵌合部材が、管状壁に隣接して配置される、請求項10015記載の装置。
[請求項10022]
嵌合部材が、管状壁から離して配置される、請求項10015記載の装置。
[請求項10023]
嵌合部材が、内部の腔を画成する表面に隣接して配置される、請求項10015記載の装置。
[請求項10024]
嵌合部材が、内部の腔を画成する表面から離して配置される、請求項10015記載の装置。
[請求項10025]
嵌合部材が、装置の内表面に隣接して配置される、請求項10015記載の装置。
[請求項10026]
嵌合部材が、装置の内表面から離して配置される、請求項10015記載の装置。
[請求項10027]
内部の腔の周囲に連続した内部放射状表面を有する同心円の環状部分を画成し、かつ内部の腔に通じるインプラント嵌合開口部を画成する、管状壁;
内部の腔に配置されたコード;および
インプラント嵌合開口部に配置された伸長部を有するインプラント
を含む、装置。
[請求項10028]
伸長部が嵌合部材を有する、請求項10027記載の装置。
[請求項10029]
嵌合部材が内部の腔内に配置される、請求項10028記載の装置。
[請求項10030]
嵌合部材が、管状壁によって画成されるチューブ内に配置される、請求項10028記載の装置。
[請求項10031]
嵌合部材が、インプラント嵌合開口部の近位に配置される、請求項10028記載の装置。
[請求項10032]
嵌合部材が、コードの末端の近位に配置される、請求項10028記載の装置。
[請求項10033]
嵌合部材が、コードに隣接して配置される、請求項10028記載の装置。
[請求項10034]
嵌合部材が、コードに接して配置される、請求項10028記載の装置。
[請求項10035]
嵌合部材が、管状壁に隣接して配置される、請求項10028記載の装置。
[請求項10036]
嵌合部材が、管状壁から離して配置される、請求項10028記載の装置。
[請求項10037]
嵌合部材が、内部の腔を画成する表面に隣接して配置される、請求項10028記載の装置。
[請求項10038]
嵌合部材が、内部の腔を画成する表面から離して配置される、請求項10028記載の装置。
[請求項10039]
嵌合部材が、装置の内表面に隣接して配置される、請求項10028記載の装置。
[請求項10040]
嵌合部材が、装置の内表面から離して配置される、請求項10028記載の装置。
[請求項10041]
遠位末端を有し、かつ管状壁軸を画成する管状壁であって、管状壁遠位末端が、インプラント嵌合開口部を画成する近位および遠位表面を有し、管状壁遠位末端の内表面が、インプラント嵌合開口部に通じる内部の腔を画成する、管状壁;
内部の腔に配置されたコード;ならびに
伸長部の軸を画成する伸長部を有するインプラントであって、該伸長部がインプラント嵌合開口部に配置され、該伸長部の近位末端が内部の腔内に完全に配置される嵌合部材を有し、該伸長部の軸が管状壁の軸に対して角度をなして配置される、インプラント
を含む、装置。
[請求項10042]
嵌合部材が、管状壁によって画成されるチューブ内に配置される、請求項10041記載の装置。
[請求項10043]
嵌合部材が、インプラント嵌合開口部の近位に配置される、請求項10041記載の装置。
[請求項10044]
嵌合部材が、コードの末端の近位に配置される、請求項10041記載の装置。
[請求項10045]
嵌合部材が、コードに隣接して配置される、請求項10041記載の装置。
[請求項10046]
嵌合部材が、コードに接して配置される、請求項10041記載の装置。
[請求項10047]
嵌合部材が、管状壁に隣接して配置される、請求項10041記載の装置。
[請求項10048]
嵌合部材が、管状壁から離して配置される、請求項10041記載の装置。
[請求項10049]
嵌合部材が、内部の腔を画成する表面に隣接して配置される、請求項10041記載の装置。
[請求項10050]
嵌合部材が、内部の腔を画成する表面から離して配置される、請求項10041記載の装置。
[請求項10051]
嵌合部材が、装置の内表面に隣接して配置される、請求項10041記載の装置。
[請求項10052]
嵌合部材が、装置の内表面から離して配置される、請求項10041記載の装置。
[請求項10053]
管状壁の軸と近位および遠位部分とを画成する管状壁であって、遠位部分が、内部の腔を画成する遠位壁およびインプラント嵌合開口部を有する、管状壁;
内部の腔に配置されたコード;ならびに
伸長部が管状壁の軸に対して既定の角度で配置される、インプラント嵌合開口部に配置された伸長部を有するインプラントであって、該伸長部が管状壁の軸に対して既定の角度で配置される、インプラント
を含む、装置。
[請求項10054]
伸長部が嵌合部材を有する、請求項10053記載の装置。
[請求項10055]
嵌合部材が、管状壁によって画成されるチューブ内に配置される、請求項10054記載の装置。
[請求項10056]
嵌合部材が、インプラント嵌合開口部の近位に配置される、請求項10054記載の装置。
[請求項10057]
嵌合部材が、コードの末端の近位に配置される、請求項10054記載の装置。
[請求項10058]
嵌合部材が、コードに隣接して配置される、請求項10054記載の装置。
[請求項10059]
嵌合部材が、コードに接して配置される、請求項10054記載の装置。
[請求項10060]
嵌合部材が、管状壁に隣接して配置される、請求項10054記載の装置。
[請求項10061]
嵌合部材が、管状壁から離して配置される、請求項10054記載の装置。
[請求項10062]
嵌合部材が、内部の腔を画成する表面に隣接して配置される、請求項10054記載の装置。
[請求項10063]
嵌合部材が、内部の腔を画成する表面から離して配置される、請求項10054記載の装置。
[請求項10064]
嵌合部材が、装置の内表面に隣接して配置される、請求項10054記載の装置。
[請求項10065]
嵌合部材が、装置の内表面から離して配置される、請求項10054記載の装置。
[請求項10066]
既定の角度が、遠位壁の厚さによって画成される、請求項10054記載の装置。
[請求項10067]
既定の角度が、インプラント嵌合開口部の長さを画成する開口壁の長さによって画成される、請求項10054記載の装置。
[請求項10068]
開口部の壁が、インプラント嵌合開口部の円錐形状を画成する、請求項10054記載の装置。
[請求項10069]
既定の角度が、インプラント嵌合開口部の内径を画成する開口部の壁の内径によって画成される、請求項10054記載の装置。
[請求項10070]
既定の角度が、伸長部の長さによって画成される、請求項10054記載の装置。
[請求項10071]
既定の角度が、伸長部の外径によって画成される、請求項10054記載の装置。
[請求項10072]
既定の角度が、伸長部の外周囲面によって画成される、請求項10054記載の装置。
[請求項10073]
近位末端および遠位末端を有する管状壁であって、近位末端および遠位末端のそれぞれが、管状壁を通して既定の長さで配置された管腔を画成する開口部を有する、管状壁;ならびに
管腔に配置されたコードの一部が既定の長さより大きいコード長を有する、管腔に配置されたコード
を含む、装置。
[請求項10074]
管状壁遠位末端が、内部の腔およびインプラント嵌合開口部を画成し、伸長部を有するインプラントが、該管状壁遠位末端に対して近位に配置される嵌合部材を有する、請求項10073記載の装置。
[請求項10075]
コードの一部が、管腔から伸長する、請求項10074記載の装置。
[請求項10076]
コードの一部が、インプラント嵌合開口部に隣接して配置される、請求項10074記載の装置。
[請求項10077]
コードの一部が、インプラント嵌合開口部に接して配置される、請求項10074記載の装置。
[請求項10078]
コードの一部が、インプラント嵌合開口部内に配置される、請求項10074記載の装置。
[請求項10079]
コードの一部が、管状壁によって画成されるチューブの反対側の末端から伸長する、請求項10074記載の装置。
[請求項10080]
近位末端および遠位末端を有する管状壁であって、近位末端および遠位末端のそれぞれが、管状壁を通して配置された管腔を画成する開口部を有し、該管腔の一部が管状壁から管腔内に伸長する近位壁を有し、かつ近位末端開口部と近位壁との間の既定の距離を画成する、管状壁;
遠位末端開口部に配置された伸長部を有するインプラント;ならびに
管腔内に配置されたコードであって、コードの一部が、管腔に配置された遠位表面を有する拡大部分を有しかつ近位壁に接する、コード
を含む、装置。
[請求項10081]
伸長部が嵌合部材を有し、管状壁の内表面が内部の腔を画成する、請求項10080記載の装置。
[請求項10082]
コードの一部が管腔から伸長する、請求項10081記載の装置。
[請求項10083]
コードの一部が、インプラント嵌合開口部に隣接して配置される、請求項10081記載の装置。
[請求項10084]
コードの一部が、インプラント嵌合開口部に接して配置される、請求項10081記載の装置。
[請求項10085]
コードの一部が、インプラント嵌合開口部内に配置される、請求項10081記載の装置。
[請求項10086]
コードの一部が、管状壁によって画成されるチューブの反対側の末端から伸長する、請求項10081記載の装置。
[請求項10087]
内腔、および近位部分と遠位部分との間に配置された中央部分を画成する管状壁であって、中央部分の管状壁が、中央部分の長さの大部分に沿って配置された縦方向の開放部を画成する端部を有し、遠位部分が、インプラント嵌合開口部を画成する遠位壁を有する、管状壁;
内腔に配置されたコード;ならびに
インプラント嵌合開口部に配置される伸長部を有するインプラントであって、該伸長部の近位末端が、内腔内に完全に配置された嵌合部材を有する、インプラント
を含む、装置。
[請求項10088]
管状壁の内表面が、内部の腔を画成する、請求項10087記載の装置。
[請求項10089]
開放部の断面の大きさが、中央部分の少なくとも一部に沿って変化する、請求項10088記載の装置。
[請求項10090]
縦方向の開放部が、管状壁の削られた部分である、請求項10088記載の装置。
[請求項10091]
縦方向の開放部が、管状壁の末端の間に配置される、請求項10088記載の装置。
[請求項10092]
縦方向の開放部が、管状壁の末端と内腔との間に配置される、請求項10088記載の装置。
[請求項10093]
縦方向の開放部の大部分が、管状壁の遠位部分に配置される、請求項10088記載の装置。
[請求項10094]
縦方向の開放部が、管状壁の縦方向の長さに沿って変化する部分を有する、請求項10088記載の装置。
[請求項10095]
軸および、近位部分と遠位部分の間に配置された中央部分を画成する管状壁であって、管状壁が近位および遠位部分で管状壁の軸を取り囲み、管状壁が中央部で部分的に管状壁の軸を取り囲み、遠位部分が、内部の腔を画成する遠位壁および内部の腔に通じているインプラント嵌合開口部を有する、管状壁;
内部の腔内に配置されたコード;ならびに
インプラント嵌合開口部に配置された伸長部を有するインプラントであって、該伸長部の近位末端が、内部の腔内に完全に配置される嵌合部材を有する、インプラント
を含む、装置。
[請求項10096]
中央部の管状壁の部分的な取り囲みが、中央部分の少なくとも一部に沿って変化する、請求項10095記載の装置。
[請求項10097]
中央部の少なくとも一部が、管状壁の削られた部分である、請求項10095記載の装置。
[請求項10098]
中央部の少なくとも一部が、管状壁の近位末端と遠位末端との間に配置される、請求項10095記載の装置。
[請求項10099]
中央部の少なくとも一部が、管状壁の近位末端と内部の腔との間に配置される、請求項10095記載の装置。
[請求項10100]
中央部の大部分が、管状壁の縦方向の遠位2分の1に配置される、請求項10095記載の装置。
[請求項10101]
中央部の少なくとも一部が、管状壁の縦方向の長さに沿って変化する、請求項10095記載の装置。
[請求項10102]
管状壁の近位部分の長さに及ぶ第一の柔軟性プロフィール、管状壁の中央部の長さに及ぶ第二の柔軟性プロフィール、および管状壁の遠位部分の長さに及ぶ第三の柔軟性プロフィールを有する管状壁であって、第三の柔軟性プロフィールの柔軟性が遠位部分の長さにわたって変化し、遠位部分が、内腔を画成する遠位壁と内腔に通じるインプラント嵌合開口部とを有する、管状壁;
内腔内に配置されたコード;ならびに
インプラント嵌合開口部に配置された伸長部を有するインプラントであって、該伸長部の近位末端が、内腔内に完全に配置された嵌合部材を有する、インプラント
を含む、装置。
[請求項10103]
管状壁の内表面が内部の腔を画成する、請求項10102記載の装置。
[請求項10104]
管状壁の少なくとも一部が管状壁の削られた部分を画成し、該削られた部分が管状壁の近位末端と遠位末端との間に配置される、請求項10103記載の装置。
[請求項10105]
管状壁の少なくとも一部が管状壁の削られた部分を画成し、該削られた部分が管状壁の近位末端と内部の腔との間に配置される、請求項10103記載の装置。
[請求項10106]
管状壁の少なくとも一部が管状壁の削られた部分を画成し、該削られた部分の大部分が管状壁の縦方向の遠位2分の1に配置される、請求項10103記載の装置。
[請求項10107]
管状壁の少なくとも一部が管状壁の削られた部分を画成し、該削られた部分が管状壁の縦方向の長さに沿って変化する、請求項10103記載の装置。
[請求項10108]
管状壁の近位部分の長さに及ぶ柔軟性を画成する第一の柔軟性プロフィール、管状壁の中央部分の長さに及ぶ柔軟性を画成する第二の柔軟性プロフィール、および管状壁の遠位部分の長さに及ぶ柔軟性を画成する第三の柔軟性プロフィールを有する管状壁であって、第二のプロフィールの柔軟性が、第一および第三のプロフィールの柔軟性の割合より大きい割合で変化する、管状壁;
管状壁に隣接して配置されたコード;ならびに
管状壁の遠位部分によって保持される伸長部を有し、前記コードの移動によって管状壁から分離可能なインプラント
を含む、装置。
[請求項10109]
伸長部が嵌合部材を有し、管腔壁の内表面が内部の腔を画成する、請求項10108記載の装置。
[請求項10110]
管状壁の少なくとも一部が管状壁の削られた部分を画成し、該削られた部分が管状壁の近位末端と遠位末端との間に配置される、請求項10109記載の装置。
[請求項10111]
管状壁の少なくとも一部が管状壁の削られた部分を画成し、該削られた部分が管状壁の近位末端と内部の腔との間に配置される、請求項10109記載の装置。
[請求項10112]
管状壁の少なくとも一部が管状壁の削られた部分を画成し、該削られた部分の大部分が管状壁の縦方向の遠位2分の1に配置される、請求項10109記載の装置。
[請求項10113]
管状壁の少なくとも一部が管状壁の削られた部分を画成し、該削られた部分が管状壁の縦方向の長さに沿って変化する、請求項10109記載の装置。
[請求項10114]
患者の鼠径部と頚部との間で患者の血管系に配置される送達チューブ;
送達チューブ内に配置された管状壁の軸を画成する柔軟な管状壁であって、チューブの壁が送達チューブの近位に配置された近位末端と、送達チューブの遠位に配置された遠位末端とを有し、遠位末端が、内部の腔を画成する遠位壁と、内部の腔に通じるインプラント嵌合開口部とを有する、管状壁;
内部の腔に配置されたコード;ならびに
インプラント嵌合開口部に配置された伸長部を有するインプラント
を含む、患者内でインプラントを位置付けるための装置であって、
管状壁が、近位末端に印加される第一の軸力が遠位末端で第二の軸力を引き起こし、第一の軸力が第二の軸力の90%またはそれより大きいという特徴を有する、装置。
[請求項10115]
伸長部が嵌合部材を有する、請求項10114記載の装置。
[請求項10116]
管状壁の少なくとも一部が管状壁の削られた部分を画成し、該削られた部分が管状壁の近位末端と遠位末端との間に配置される、請求項10115記載の装置。
[請求項10117]
管状壁の少なくとも一部が管状壁の削られた部分を画成し、該削られた部分が管状壁の近位末端と内部の腔との間に配置される、請求項10115記載の装置。
[請求項10118]
管状壁の少なくとも一部が管状壁の削られた部分を画成し、該削られた部分の大部分が管状壁縦方向の遠位2分の1に配置される、請求項10115記載の装置。
[請求項10119]
管状壁の少なくとも一部が管状壁の削られた部分を画成し、該削られた部分が管状壁の縦方向の長さに沿って変化する、請求項10115記載の装置。
[請求項10120]
管状壁の軸と近位および遠位部分とを画成する管状壁であって、遠位部分が、内部の腔を画成する遠位壁とインプラント嵌合開口部とを有し、管腔壁が、インプラント嵌合開口部に対して近位の既定の距離に配置される縦方向の開放部を画成する、管状壁;
縦方向の開放部に配置された放射線不透過性のマーカー;
内部の腔に配置されたコード;ならびに
インプラント嵌合開口部に配置された伸長部を有するインプラント
を含む、装置。
[請求項10121]
伸長部が嵌合部材を有する、請求項10120記載の装置。
[請求項10122]
管状壁の少なくとも一部が管状壁の削られた部分を画成し、該削られた部分が管状壁の近位末端と遠位末端との間に配置される、請求項10121記載の装置。
[請求項10123]
管状壁の少なくとも一部が管状壁の削られた部分を画成し、該削られた部分が管状壁の近位末端と内部の腔との間に配置される、請求項10121記載の装置。
[請求項10124]
管状壁の少なくとも一部が管状壁の削られた部分を画成し、該削られた部分の大部分が管状壁の縦方向の遠位2分の1に配置される、請求項10121記載の装置。
[請求項10125]
管状壁の少なくとも一部が管状壁の削られた部分を画成し、該削られた部分が管状壁の縦方向の長さに沿って変化する、請求項10121記載の装置。
[請求項10126]
管状壁の軸、内部および外部管状壁直径、ならびに近位および遠位部分を画成する管状壁であって、遠位部分が、内部の腔を画成する遠位壁とインプラント嵌合開口部とを有する、管状壁;
内部管状壁の直径より大きい外部マーカー直径を有し、かつ管状壁によって画成される管状空間内に配置される、放射線不透過性のマーカー;
内部の腔に配置されたコード;ならびに
インプラント嵌合開口部に配置された伸長部を有するインプラント
を含む、装置。
[請求項10127]
伸長部が嵌合部材を有する、請求項10126記載の装置。
[請求項10128]
管状壁の少なくとも一部が管状壁の削られた部分を画成し、該削られた部分が管状壁の近位末端と遠位末端との間に配置される、請求項10127記載の装置。
[請求項10129]
管状壁の少なくとも一部が管状壁の削られた部分を画成し、該削られた部分が管状壁の近位末端と内部の腔との間に配置される、請求項10127記載の装置。
[請求項10130]
管状壁の少なくとも一部が管状壁の削られた部分を画成し、該削られた部分の大部分が管状壁の縦方向の遠位2分の1に配置される、請求項10127記載の装置。
[請求項10131]
管状壁の少なくとも一部が管状壁の削られた部分を画成し、該削られた部分が管状壁の縦方向の長さに沿って変化する、請求項10127記載の装置。
[請求項10132]
管状壁の末端の間に配置された内腔表面を有する管状壁であって、内腔および内腔に通じるインプラント嵌合開口部を画成する、管状壁;
インプラント嵌合開口部に配置された伸長部を有するインプラントであって、該伸長部の近位末端が、内腔内に完全に配置される嵌合部材を有する、インプラント;ならびに
内腔表面と外表面との間の摩擦係数が0.045またはそれ未満である、外表面を有し、かつ内腔内に配置されるコード
を含む、装置。
[請求項10133]
管状壁の内表面が内部の腔を画成する、請求項10132記載の装置。
[請求項10134]
管状壁がコードの表面の一部を囲む、請求項10133記載の装置。
[請求項10135]
コードが、管状壁によって画成される管腔内に配置される、請求項10133記載の装置。
[請求項10136]
コードの一部が内腔から伸長する、請求項10133記載の装置。
[請求項10137]
コードの一部が、インプラント嵌合開口部に隣接して配置される、請求項10133記載の装置。
[請求項10138]
コードの一部が、インプラント嵌合開口部に接して配置される、請求項10133記載の装置。
[請求項10139]
コードの一部が、インプラント嵌合開口部に配置される、請求項10133記載の装置。
[請求項10140]
コードの一部が、管状壁によって画成されるチューブの反対側の末端から伸長する、請求項10133記載の装置。
[請求項10141]
管状壁の末端の間に配置されて表面粗さが200マイクロインチ未満の内腔表面を有し、かつ内腔を画成する高分子管状壁であって、該内腔表面が、内腔に通じるインプラント嵌合開口部を画成する、高分子管状壁;
インプラント嵌合開口部に配置される伸長部を有するインプラントであって、該伸長部の近位末端が、内腔に完全に配置される嵌合部材を有する、インプラント;および
内腔に配置される表面粗さが50マイクロインチ未満の外表面を有するステンレススチールコード
を含む、装置。
[請求項10142]
管状壁の内表面が内部の腔を画成する、請求項10141記載の装置。
[請求項10143]
管状壁がコードの表面の一部を囲む、請求項10142記載の装置。
[請求項10144]
コードの一部が内腔に配置される、請求項10142記載の装置。
[請求項10145]
コードの一部が、管状壁によって画成される管腔から伸長する、請求項10142記載の装置。
[請求項10146]
コードの一部が、インプラント嵌合開口部に隣接して配置される、請求項10142記載の装置。
[請求項10147]
コードの一部が、インプラント嵌合開口部に接するように配置される、請求項10142記載の装置。
[請求項10148]
コードの一部が、インプラント嵌合開口部に配置される、請求項10142記載の装置。
[請求項10149]
コードの一部が、管状壁によって画成されるチューブの反対側の末端から伸長する、請求項10142記載の装置。
[請求項10150]
管状壁の軸と近位および遠位部分とを画成する管状壁であって、遠位部分が、内部の腔を画成する遠位壁とインプラント嵌合開口部とを有し、管状壁が、管状部分と、管状壁の遠位部分において管状部分の少なくとも一部を囲むスリーブ部分とを有する、管状壁;
内部の腔に配置されるコード;ならびに
インプラント嵌合開口部に配置される伸長部を有するインプラント
を含む、装置。
[請求項10151]
伸長部が嵌合部材を有する、請求項10150記載の装置。
[請求項10152]
管状壁の少なくとも一部が管状壁の削られた部分を画成し、該削られた部分が管状壁の近位末端と遠位末端との間に配置される、請求項10151記載の装置。
[請求項10153]
管状壁の少なくとも一部が管状壁の削られた部分を画成し、該削られた部分が管状壁の近位末端と内部の腔との間に配置される、請求項10151記載の装置。
[請求項10154]
管状壁の少なくとも一部が管状壁の削られた部分を画成し、該削られた部分の大部分が管状壁の縦方向の遠位2分の1に配置される、請求項10151記載の装置。
[請求項10155]
管状壁の少なくとも一部が管状壁の削られた部分を画成し、該削られた部分が管状壁の縦方向の長さに沿って変化する、請求項10151記載の装置。
[請求項10156]
管状壁の軸と近位および遠位部分とを画成する管状壁であって、遠位部分が、内部の腔を画成する遠位壁とインプラント嵌合開口部とを有し、管状壁が、第一の材料で作製された管状部分と、異なる第二の材料で作製されたスリーブ部分とを有する、管状壁;
内部の腔に配置されたコード;ならびに
インプラント嵌合開口部に配置された伸長部を有するインプラント
を含む、装置。
[請求項10157]
伸長部が嵌合部材を有する、請求項10156記載の装置。
[請求項10158]
管状壁の少なくとも一部が管状壁の削られた部分を画成し、該削られた部分が管状壁の近位末端と遠位末端との間に配置される、請求項10157記載の装置。
[請求項10159]
管状壁の少なくとも一部が管状壁の削られた部分を画成し、該削られた部分が管状壁の近位末端と内部の腔との間に配置される、請求項10157記載の装置。
[請求項10160]
管状壁の少なくとも一部が管状壁の削られた部分を画成し、該削られた部分の大部分が管状壁の縦方向の遠位2分の1に配置される、請求項10157記載の装置。
[請求項10161]
管状壁の少なくとも一部が管状壁の削られた部分を画成し、該削られた部分が管状壁の縦方向の長さに沿って変化する、請求項10157記載の装置。
[請求項10162]
管状壁の軸と近位および遠位部分とを画成する管状壁であって、遠位部分が、内部の腔を画成する遠位壁とインプラント嵌合開口部とを有し、管状壁が、管状部分とスリーブ部分で構成される直交断面を有する、管状壁;
内部の腔に配置されたコード;ならびに
インプラント嵌合開口部に配置される伸長部を有するインプラント
を含む、装置。
[請求項10163]
伸長部が嵌合部材を有する、請求項10162記載の装置。
[請求項10164]
管状壁の少なくとも一部が管状壁の削られた部分を画成し、該削られた部分が管状壁の近位末端と遠位末端との間に配置される、請求項10163記載の装置。
[請求項10165]
管状壁の少なくとも一部が管状壁の削られた部分を画成し、該削られた部分が管状壁の近位末端と内部の腔との間に配置される、請求項10163記載の装置。
[請求項10166]
管状壁の少なくとも一部が管状壁の削られた部分を画成し、該削られた部分の大部分が管状壁の縦方向の遠位2分の1に配置される、請求項10163記載の装置。
[請求項10167]
管状壁の少なくとも一部が管状壁の削られた部分を画成し、該削られた部分が管状壁の縦方向の長さに沿って変化する、請求項10163記載の装置。
[請求項10168]
近位末端および遠位末端を有する管状壁であって、近位末端および遠位末端のそれぞれが、管状壁の中に伸長する管腔を画成する開口部を有する、管状壁;
管腔に配置されたコード;
管状壁の遠位末端開口部に配置される伸長部を有するインプラントであって、該伸長部の近位末端が、管腔に完全に配置された嵌合部材を有する、インプラント;および
管状壁の近位末端に嵌合し、かつコードの近位末端に固く嵌合する制御部材
を含む、装置。
[請求項10169]
管状壁の内表面が内部の腔を画成する、請求項10168記載の装置。
[請求項10170]
管状壁がコードの一部を囲む、請求項10169記載の装置。
[請求項10171]
コードが管腔に配置される、請求項10169記載の装置。
[請求項10172]
コードの一部が、管状壁によって画成される管腔から伸長する、請求項10169記載の装置。
[請求項10173]
コードの一部が、インプラント嵌合開口部に隣接して配置される、請求項10169記載の装置。
[請求項10174]
コードの一部が、インプラント嵌合開口部に接するように配置される、請求項10169記載の装置。
[請求項10175]
コードの一部が、インプラント嵌合開口部に配置される、請求項10169記載の装置。
[請求項10176]
コードの一部が、管状壁によって画成されるチューブの反対側の末端から伸長する、請求項10169記載の装置。
[請求項10177]
管腔に通じる開放部を有する遠位末端を有する管状壁;
管腔内に配置されかつ管状壁の遠位末端の遠位に配置されるコード;および
遠位末端開放部に配置される伸長部を有するインプラント
を含む、装置。
[請求項10178]
伸長部が嵌合部材を有し、管状壁の内表面が内部の腔を画成する、請求項10177記載の装置。
[請求項10179]
管状壁がコードの一部を囲む、請求項10178記載の装置。
[請求項10180]
コードが管腔に配置される、請求項10178記載の装置。
[請求項10181]
コードの一部が、管状壁によって画成される管腔から伸長する、請求項10178記載の装置。
[請求項10182]
コードの一部が、インプラント嵌合開口部に隣接して配置される、請求項10178記載の装置。
[請求項10183]
コードの一部が、インプラント嵌合開口部に接するように配置される、請求項10178記載の装置。
[請求項10184]
コードの一部が、インプラント嵌合開口部に配置される、請求項10178記載の装置。
[請求項10185]
コードの一部が、管状壁によって画成されるチューブの反対側の末端から伸長する、請求項10178記載の装置。
[請求項10186]
近位末端と遠位末端とを有し、内径と、管状壁の軸に沿った内部の腔とを画成する管状壁;
内部の腔に通じる開放部を画成する、管状壁の遠位末端に近位のキャップであって、管状壁の軸に直交する開放部の大きさが管状壁の内径より小さい、キャップ;
近位末端、遠位末端、および周囲面を有するコード;ならびに
インプラント本体と伸長部とを有するインプラントであって、該伸長部が、インプラント本体に嵌合して、コードの周囲面に嵌合するようにキャップの開放部に配置される、インプラント
を含む、装置。
[請求項10187]
伸長部が嵌合部材を有する、請求項10186記載の装置。
[請求項10188]
管状壁がコードの一部を囲む、請求項10187記載の装置。
[請求項10189]
コードが、管状壁によって画成される管腔に配置される、請求項10187記載の装置。
[請求項10190]
コードの一部が、管状壁によって画成される管腔から伸長する、請求項10187記載の装置。
[請求項10191]
コードの一部が、インプラント嵌合開口部に隣接して配置される、請求項10187記載の装置。
[請求項10192]
コードの一部が、インプラント嵌合開口部に接するように配置される、請求項10187記載の装置。
[請求項10193]
コードの一部が、インプラント嵌合開口部に配置される、請求項10187記載の装置。
[請求項10194]
コードの一部が、管状壁によって画成されるチューブの反対側の末端から伸長する、請求項10187記載の装置。
[請求項10195]
内径と管状壁の軸に沿った内部の腔とを画成する管状壁であって、管状壁が近位末端と遠位末端とを有し、該遠位末端が内部の腔に対する開放部を画成し、該開放部が内径より小さい開放部幅を有する、管状壁;
近位末端、遠位末端、および周囲面を有するコード;ならびに
インプラント本体と伸長部とを有するインプラントであって、インプラント本体が管状壁の遠位末端に近位に存在し、伸長部が、インプラント本体に嵌合してコードの周囲面に嵌合するように開放部に配置される、インプラント
を含む、装置。
[請求項10196]
伸長部が嵌合部材を有する、請求項10195記載の装置。
[請求項10197]
管状壁がコードの一部を囲む、請求項10196記載の装置。
[請求項10198]
コードの一部が、管状壁によって画成される管腔に配置される、請求項10196記載の装置。
[請求項10199]
コードの一部が、管状壁によって画成される管腔から伸長する、請求項10196記載の装置。
[請求項10200]
コードの一部が、インプラント嵌合開口部に隣接して配置される、請求項10196記載の装置。
[請求項10201]
コードの一部が、インプラント嵌合開口部に接するように配置される、請求項10196記載の装置。
[請求項10202]
コードの一部が、インプラント嵌合開口部に配置される、請求項10196記載の装置。
[請求項10203]
コードの一部が、管状壁によって画成されるチューブの反対側の末端から伸長する、請求項10196記載の装置。
[請求項10204]
内径と、管状壁の軸に沿った内部の腔とを画成する管状壁であって、管状壁が近位末端と遠位末端とを有し、該遠位末端管状壁が、内部の腔に対する開放部の境界を画成し、該境界が、内径より小さい軸方向直交開放部寸法を有する、管状壁;
境界の開放部寸法より小さい軸方向直交寸法を有するコード;および
開放部に対して遠位のインプラント本体と、開放部に対して近位の伸長部とを有するインプラントであって、該伸長部が、コード寸法と伸長部寸法との合計が開放部寸法より大きくなるような軸方向直交寸法を有する、インプラント
を含む、装置。
[請求項10205]
伸長部が嵌合部材を有する、請求項10204記載の装置。
[請求項10206]
管状壁がコードの一部を囲む、請求項10205記載の装置。
[請求項10207]
コードの一部が、管状壁によって画成される管腔に配置される、請求項10205記載の装置。
[請求項10208]
コードの一部が、管状壁によって画成される管腔から伸長する、請求項10205記載の装置。
[請求項10209]
コードの一部が、インプラント嵌合開口部に隣接して配置される、請求項10205記載の装置。
[請求項10210]
コードの一部が、インプラント嵌合開口部に接するように配置される、請求項10205記載の装置。
[請求項10211]
コードの一部が、インプラント嵌合開口部に配置される、請求項10205記載の装置。
[請求項10212]
コードの一部が、管状壁によって画成されるチューブの反対側の末端から伸長する、請求項10205記載の装置。
[請求項10213]
内部の腔を画成する遠位末端と、内部の腔に通じるインプラント嵌合開口部とを有する管状壁;
インプラント嵌合開口部に配置される伸長部を有するインプラントであって、該伸長部の近位末端が、内部の腔に完全に配置される嵌合部材を有する、インプラント;および
インプラント嵌合開口部に対して近位に配置された第一の部分と、インプラント嵌合開口部から一定距離で配置された第二の部分とを有する、遠位末端を有するコード
を含む、装置。
[請求項10214]
管状壁がコードの一部を囲む、請求項10213記載の装置。
[請求項10215]
コードの一部が、管状壁によって画成される管腔に配置される、請求項10213記載の装置。
[請求項10216]
コードの一部が、管状壁によって画成される管腔から伸長する、請求項10213記載の装置。
[請求項10217]
コードの一部が、インプラント嵌合開口部に隣接して配置される、請求項10213記載の装置。
[請求項10218]
コードの一部が、インプラント嵌合開口部に接するように配置される、請求項10213記載の装置。
[請求項10219]
コードの一部が、インプラント嵌合開口部に配置される、請求項10213記載の装置。
[請求項10220]
コードの一部が、管状壁によって画成されるチューブの反対側の末端から伸長する、請求項10213記載の装置。
[請求項10221]
遠位末端と内部の腔とを画成する管状壁であって、遠位末端が、内部の腔をさらに画成する近位表面を有し、遠位末端が、内部の腔に通じるインプラント嵌合開口部を画成する、管状壁;
インプラント嵌合開口部に配置された伸長部を有するインプラントであって、該伸長部の近位末端が、内部の腔内に配置された嵌合部材を有する、インプラント;および
近位表面に接して、インプラント嵌合開口部の一部を塞ぐコード
を含む、装置。
[請求項10222]
管状壁がコードの一部を囲む、請求項10221記載の装置。
[請求項10223]
コードの一部が、管状壁によって画成される管腔に配置される、請求項10221記載の装置。
[請求項10224]
コードの一部が、管状壁によって画成される管腔から伸長する、請求項10221記載の装置。
[請求項10225]
コードの一部が、インプラント嵌合開口部に隣接して配置される、請求項10221記載の装置。
[請求項10226]
コードの一部が、インプラント嵌合開口部に接するように配置される、請求項10221記載の装置。
[請求項10227]
コードの一部が、インプラント嵌合開口部に配置される、請求項10221記載の装置。
[請求項10228]
コードの一部が、管状壁によって画成されるチューブの反対側の末端から伸長する、請求項10221記載の装置。
[請求項10229]
管状壁の軸と近位および遠位部分とを画成する管状壁であって、遠位部分が、内部の腔を画成する遠位壁とインプラント嵌合開口部とを有する、管状壁;
内部の腔に配置されるコードであって、該コードが近位部分において管状壁の軸に沿って配置され、遠位部分において管状壁の軸に隣接して配置される、コード;ならびに
インプラント嵌合開口部に配置される伸長部を有するインプラント
を含む、装置。
[請求項10230]
伸長部が嵌合部材を有する、請求項10229記載の装置。
[請求項10231]
管状壁がコードの一部を囲む、請求項10230記載の装置。
[請求項10232]
コードの一部が、管状壁によって画成される管腔に配置される、請求項10230記載の装置。
[請求項10233]
コードの一部が、管状壁によって画成される管腔から伸長する、請求項10230記載の装置。
[請求項10234]
コードの一部が、インプラント嵌合開口部に隣接して配置される、請求項10230記載の装置。
[請求項10235]
コードの一部が、インプラント嵌合開口部に接するように配置される、請求項10230記載の装置。
[請求項10236]
コードの一部が、インプラント嵌合開口部に配置される、請求項10230記載の装置。
[請求項10237]
コードの一部が、管状壁によって画成されるチューブの反対側の末端から伸長する、請求項10230記載の装置。
[請求項10238]
管状壁の軸と近位および遠位部分とを画成する管状壁であって、遠位部分が、内部の腔を画成する遠位壁とインプラント嵌合開口部とを有する、管状壁;
内部の腔に配置されるコードであって、該コードが、遠位部分においてインプラント嵌合開口部に近位の第一および第二の部分を有し、コードの第一の部分が管状壁の軸と交差して、コードの第二の部分が管状壁に接する、コード;ならびに
インプラント嵌合開口部に配置される伸長部を有するインプラント
を含む、装置。
[請求項10239]
伸長部が嵌合部材を有する、請求項10238記載の装置。
[請求項10240]
管状壁がコードの一部を囲む、請求項10239記載の装置。
[請求項10241]
コードの一部が、管状壁によって画成される管腔に配置される、請求項10239記載の装置。
[請求項10242]
コードの一部が、管状壁によって画成される管腔から伸長する、請求項10239記載の装置。
[請求項10243]
コードの一部が、インプラント嵌合開口部に隣接して配置される、請求項10239記載の装置。
[請求項10244]
コードの一部が、インプラント嵌合開口部に接するように配置される、請求項10239記載の装置。
[請求項10245]
コードの一部が、インプラント嵌合開口部に配置される、請求項10239記載の装置。
[請求項10246]
コードの一部が、管状壁によって画成されるチューブの反対側の末端から伸長する、請求項10239記載の装置。
[請求項10247]
内部の腔、管状壁の軸、近位および遠位末端を画成する管状壁であって、遠位末端が、内部の腔に対する開放部を画成する、管状壁;
内部の腔に配置されるコード;ならびに
水圧、熱、電気、または化学エネルギーを用いることなく遠位末端から分離可能であり、インプラント本体と、遠位末端によって保持される嵌合部材とを有するインプラント
を含む、装置。
[請求項10248]
管状壁がコードの一部を囲む、請求項10247記載の装置。
[請求項10249]
コードの一部が、管状壁によって画成される管腔に配置される、請求項10247記載の装置。
[請求項10250]
コードの一部が、管状壁によって画成される管腔から伸長する、請求項10247記載の装置。
[請求項10251]
コードの一部が、インプラント嵌合開口部に隣接して配置される、請求項10247記載の装置。
[請求項10252]
コードの一部が、インプラント嵌合開口部に接するように配置される、請求項10247記載の装置。
[請求項10253]
コードの一部が、インプラント嵌合開口部に配置される、請求項10247記載の装置。
[請求項10254]
コードの一部が、管状壁によって画成されるチューブの反対側の末端から伸長する、請求項10247記載の装置。
[請求項10255]
管状壁の軸を画成する管状壁であって、該管状壁が、第一の外径を有する近位部分と第二の外径を有する遠位部分とを有し、第二の外径が第一の外径より小さく、遠位部分が、内部の腔と、内部の腔に通じるインプラント嵌合開口部とを画成する遠位壁を有する、管状壁;
内部の腔に配置されるコード;および
インプラント嵌合開口部に配置される伸長部を有するインプラント
を含む、装置。
[請求項10256]
伸長部が嵌合部材を有する、請求項10255記載の装置。
[請求項10257]
嵌合部材が内部の腔内に配置される、請求項10256記載の装置。
[請求項10258]
嵌合部材が、管状壁によって画成されるチューブ内に配置される、請求項10256記載の装置。
[請求項10259]
嵌合部材が、インプラント嵌合開口部の近位に配置される、請求項10256記載の装置。
[請求項10260]
嵌合部材が、コードの末端の近位に配置される、請求項10256記載の装置。
[請求項10261]
嵌合部材が、コードに隣接して配置される、請求項10256記載の装置。
[請求項10262]
嵌合部材が、コードに接して配置される、請求項10256記載の装置。
[請求項10263]
嵌合部材が、管状壁に隣接して配置される、請求項10256記載の装置。
[請求項10264]
嵌合部材が、管状壁から離して配置される、請求項10256記載の装置。
[請求項10265]
嵌合部材が、内部の腔を画成する表面に隣接して配置される、請求項10256記載の装置。
[請求項10266]
嵌合部材が、内部の腔を画成する表面から離して配置される、請求項10256記載の装置。
[請求項10267]
嵌合部材が、装置の内表面に隣接して配置される、請求項10256記載の装置。
[請求項10268]
嵌合部材が、装置の内表面から離して配置される、請求項10256記載の装置。
[請求項10269]
管状壁の末端の間に配置される内腔表面を有する管状壁であって、内腔表面が、内腔と、内腔に通じるインプラント嵌合開口部とを画成する、管状壁;
インプラント嵌合開口部に近位に配置されるインプラント;および
内腔に配置された外表面を有するコードであって、管状壁を包括的に900〜4000度の範囲内で蛇行させた場合に、コードの外表面と内腔表面が互いに対してスライド可能である、コード
を含む、装置。
[請求項10270]
インプラントが伸長部材と嵌合部材とを有し、管状壁の内表面が内部の腔を画成する、請求項10269記載の装置。
[請求項10271]
管状壁がコードの一部を囲む、請求項10270記載の装置。
[請求項10272]
コードの一部が、管状壁によって画成される管腔に配置される、請求項10270記載の装置。
[請求項10273]
コードの一部が、管状壁によって画成される管腔から伸長する、請求項10270記載の装置。
[請求項10274]
コードの一部が、インプラント嵌合開口部に隣接して配置される、請求項10270記載の装置。
[請求項10275]
コードの一部が、インプラント嵌合開口部に接するように配置される、請求項10270記載の装置。
[請求項10276]
コードの一部が、インプラント嵌合開口部に配置される、請求項10270記載の装置。
[請求項10277]
コードの一部が、管状壁によって画成されるチューブの反対側の末端から伸長する、請求項10270記載の装置。
[請求項10278]
管状壁の少なくとも一区分がチューブを画成する、請求項10001〜10277のいずれか一項記載の装置。
[請求項10279]
管状壁の少なくとも一区分が、円形の断面を有する外表面を画成する、請求項10001〜10277のいずれか一項記載の装置。
[請求項10280]
管状壁の少なくとも一区分が、円形の断面を有する内表面を画成する、請求項10001〜10277のいずれか一項記載の装置。
[請求項10281]
管状壁が金属および高分子の少なくとも一つで作製される、請求項10001〜10277のいずれか一項記載の装置。
[請求項10282]
管状壁が、304ステンレススチールハイポチューブ、高分子押し出し品(polymeric extrusion)、編組押し出し品(braided extrusion)、および非伸長高分子材料の少なくとも一つで作製される、請求項10001〜10277のいずれか一項記載の装置。
[請求項10283]
管状壁がおよそ0.010〜0.018インチの外径を画成する、請求項10001〜10277のいずれか一項記載の装置。
[請求項10284]
管状壁がおよそ0.012インチの外径を画成する、請求項10001〜10277のいずれか一項記載の装置。
[請求項10285]
管状壁がおよそ0.005〜0.012インチの内径を画成する、請求項10001〜10277のいずれか一項記載の装置。
[請求項10286]
管状壁がおよそ0.007インチの内径を画成する、請求項10001〜10277のいずれか一項記載の装置。
[請求項10287]
管状壁が、およそ0.008〜0.016インチの外径を画成する遠位区分を有する、請求項10001〜10277のいずれか一項記載の装置。
[請求項10288]
管状壁の遠位区分が、10〜60センチメートルの縦方向の長さを有する、請求項10287記載の装置。
[請求項10289]
管状壁が、およそ0.010インチの外径を画成する遠位区分を有する、請求項10001〜10277のいずれか一項記載の装置。
[請求項10290]
管状壁の遠位区分が50〜60センチメートルの縦方向の長さを有する、請求項10289記載の装置。
[請求項10291]
管状壁が、およそ0.010〜0.018インチの第一の外径とおよそ0.008〜0.016インチの第2の外径とを画成する、請求項10001〜10277のいずれか一項記載の装置。
[請求項10292]
管状壁が、およそ0.012インチの第一の外径とおよそ0.010インチの第2の外径とを画成する、請求項10001〜10277のいずれか一項記載の装置。
[請求項10293]
管状壁の少なくとも一区分が、削られた壁である、請求項10001〜10277のいずれか一項記載の装置。
[請求項10294]
削られた壁が、管状壁の少なくとも一つの削られた区分を画成する、請求項10293記載の装置。
[請求項10295]
削られた壁が、管状壁の縦方向の長さに沿って変化する、請求項10293記載の装置。
[請求項10296]
管状壁の少なくとも一区分が、管状壁の削られた区分を画成する、請求項10001〜10277のいずれか一項記載の装置。
[請求項10297]
削られた区分が、管状壁の近位末端と遠位末端との間に配置される、請求項10296記載の装置。
[請求項10298]
削られた区分が、管状壁の近位末端と内部の腔との間に配置される、請求項10296記載の装置。
[請求項10299]
削られた区分の大部分が、管状壁の縦方向の遠位2分の1に配置される、請求項10296記載の装置。
[請求項10300]
削られた区分が、管状壁の縦方向の長さに沿って変化する、請求項10296記載の装置。
[請求項10301]
管状壁の少なくとも一区分が、管状壁におけるチャネルを画成する、請求項10001〜10277のいずれか一項記載の装置。
[請求項10302]
チャネルが管状壁の近位末端と遠位末端との間に配置される、請求項10301記載の装置。
[請求項10303]
チャネルが、管状壁の近位末端と内部の腔との間に配置される、請求項10301記載の装置。
[請求項10304]
チャネルの大部分が、管状壁の縦方向の遠位2分の1に配置される、請求項10301記載の装置。
[請求項10305]
チャネルが、管状壁の縦方向の長さに沿って変化する、請求項10301記載の装置。
[請求項10306]
管状壁の少なくとも一区分が、管状壁の波形(scalloped)区分を画成する、請求項10001〜10277のいずれか一項記載の装置。
[請求項10307]
波形区分が、管状壁の近位末端と遠位末端との間に配置される、請求項10307記載の装置。
[請求項10308]
波形区分が管状壁の近位末端と内部の腔との間に配置される、請求項10307記載の装置。
[請求項10309]
波形区分の大部分が、管状壁の縦方向の遠位2分の1に配置される、請求項10307記載の装置。
[請求項10310]
波形区分が管状壁の縦方向の長さに沿って変化する、請求項10307記載の装置。
[請求項10311]
管状壁の少なくとも一区分が、管状壁のえぐられた(gouge)区分を画成する、請求項10001〜10277のいずれか一項記載の装置。
[請求項10312]
えぐられた区分が、管状壁の近位末端と遠位末端との間に配置される、請求項10311記載の装置。
[請求項10313]
えぐられた区分が、管状壁の近位末端と内部の腔との間に配置される、請求項10311記載の装置。
[請求項10314]
えぐられた区分の大部分が、管状壁の縦方向の遠位2分の1に配置される、請求項10311記載の装置。
[請求項10315]
えぐられた区分が、管状壁の縦方向の長さに沿って変化する、請求項10311記載の装置。
[請求項10316]
管状壁が、内腔および近位区分と遠位区分との間に配置された中央区分を画成し、該中央区分において、中央区分の長さの大部分に沿って配置される縦方向の開放部を画成する縁部を有する、請求項10001〜10277のいずれか一項記載の装置。
[請求項10317]
開放部の断面寸法が、中央区分の少なくとも一部に沿って変化する、請求項10316記載の装置。
[請求項10318]
管状壁が、軸および近位区分と遠位区分との間に配置された中央区分を画成し、近位および遠位区分において軸を取り囲み、中央区分において部分的に軸を取り囲む、請求項10001〜10277のいずれか一項記載の装置。
[請求項10319]
中央区分の管状壁の部分的な取り囲みが、中央区分の少なくとも一部に沿って変化する、請求項10318記載の装置。
[請求項10320]
管状壁の少なくとも一区分が、管状壁の縦方向の長さに沿って変化する壁の厚さを有する、請求項10001〜10277のいずれか一項記載の装置。
[請求項10321]
壁の厚さが徐々に変化する、請求項10320記載の装置。
[請求項10322]
壁の厚さが、一方向に減少することによって変化する、請求項10320記載の装置。
[請求項10323]
壁の厚さが、管状壁によって画成される外部寸法の減少により減少することによって変化する、請求項10320記載の装置。
[請求項10324]
外部寸法が外径である、請求項10323記載の装置。
[請求項10325]
管状壁が、第一の外部寸法および異なる第二の外部寸法を画成する、請求項10001〜10277のいずれか一項記載の装置。
[請求項10326]
第一の外部寸法が第一の外径であって、第二の外部寸法が第二の外径である、請求項10325記載の装置。
[請求項10327]
管状壁の区分が、管状壁遠位末端に配置された第二の外部寸法を画成する、請求項10325記載の装置。
[請求項10328]
管状壁が、第一の外部寸法から第二の外部寸法へ向かって縦方向に先細りとなる、請求項10325記載の装置。
[請求項10329]
管状壁が、第一の外部寸法に対応する第一の内部寸法と、第二の外部寸法に対応する第二の内部寸法とを画成し、第一の内部寸法が第二の内部寸法とほぼ等しい、請求項10325記載の装置。
[請求項10330]
管状壁の少なくとも一区分が、管状壁により少なくとも部分的に取り囲まれている管腔を画成する、請求項10001〜10277のいずれか一項記載の装置。
[請求項10331]
管状壁の少なくとも一区分が、管腔の少なくとも一区分を完全に包囲する、請求項10330記載の装置。
[請求項10332]
管腔が、管状壁の近位末端と遠位末端との間に配置される、請求項10330記載の装置。
[請求項10333]
管腔が内部の腔に通じている、請求項10330記載の装置。
[請求項10334]
管腔が、管状壁の削られた区分によって画成される開口部に通じている、請求項10330記載の装置。
[請求項10335]
管腔が、管状壁のチャネル区分によって画成される開口部に通じている、請求項10330記載の装置。
[請求項10336]
管腔が、管状壁の波形区分によって画成される開口部に通じている、請求項10330記載の装置。
[請求項10337]
管腔が、管状壁のえぐられた区分によって画成される開口部に通じている、請求項10330記載の装置。
[請求項10338]
管腔が近位区分と遠位区分とを有し、ストッパーが管腔の近位区分と遠位区分との間に配置される、請求項10330記載の装置。
[請求項10339]
ストッパーが、ストッパーを通って伸長するストッパー経路を画成する近位および遠位表面を有し、該ストッパー経路が管腔の近位および遠位区分に通じている、請求項10338記載の装置。
[請求項10340]
管状壁が、壁部材と近位部材とを含む近位末端を有し、近位部材がスライド部材にスライド可能に嵌合する、請求項10001〜10277のいずれか一項記載の装置。
[請求項10341]
近位部材が溶接によって壁部材に嵌合する、請求項10340記載の装置。
[請求項10342]
スライド部材が、コードに固く嵌合する、請求項10340記載の装置。
[請求項10343]
スライド部材が、コードに嵌合するクリンプを含む、請求項10342記載の装置。
[請求項10344]
スライド部材が、コードに嵌合するエンドキャップを含む、請求項10342記載の装置。
[請求項10345]
スライド部材が、切断可能な溶接によって近位部材に嵌合する、請求項10340記載の装置。
[請求項10346]
スライド部材が、管状壁に対する第一の部分、および管状壁に対する別の第二の部分を有する、請求項10340記載の装置。
[請求項10347]
壁部材の少なくとも一区分が、管状壁により少なくとも部分的に取り囲まれている管腔を画成し、該管腔が近位部材の内部に通じている、請求項10340記載の装置。
[請求項10348]
スライド部材の少なくとも一区分が、近位区分内に配置される、請求項10340記載の装置。
[請求項10349]
近位部材が、304ステンレススチールハイポチューブ、高分子押し出し品、編組押し出し品、および非伸長高分子材料の少なくとも一つによって作製される、請求項10340記載の装置。
[請求項10350]
スライド部材が、304ステンレススチールハイポチューブセグメント、高分子押し出し品、およびスチール合金の少なくとも一つで作製される、請求項10340記載の装置。
[請求項10351]
管状壁が、壁部材と近位部材とを含む近位末端を有し、近位部材がスライド部材にスライド可能に嵌合し、スライド部材がコードに固く嵌合し、スライド部材にはコードに嵌合するエンドキャップが含まれ、エンドキャップが304ステンレススチール、高分子材料、およびスチール合金リテイナーリングの一つで作製される、請求項10340記載の装置。
[請求項10352]
近位部材が、およそ0.012〜0.020インチの外径を有する、請求項10340記載の装置。
[請求項10353]
近位部材が、およそ0.016インチの外径を有する、請求項10340記載の装置。
[請求項10354]
近位部材が、およそ0.010〜0.018インチの内径を有する、請求項10340記載の装置。
[請求項10355]
近位部材が、およそ0.0122インチの内径を有する、請求項10340記載の装置。
[請求項10356]
近位部材が、およそ1〜15センチメートルの縦方向の長さを有する、請求項10340記載の装置。
[請求項10357]
近位部材が、およそ6センチメートルの縦方向の長さを有する、請求項10340記載の装置。
[請求項10358]
近位部材が、管状壁の近位末端のおよそ1〜50ミリメートルにわたって適合する、請求項10340記載の装置。
[請求項10359]
近位部材が、管状壁の近位末端のおよそ5ミリメートルにわたって適合する、請求項10340記載の装置。
[請求項10360]
スライド部材が、およそ0.010〜0.018インチの外径を有する、請求項10340記載の装置。
[請求項10361]
スライド部材がおよそ0.012インチの外径を有する、請求項10340記載の装置。
[請求項10362]
スライド部材がおよそ0.001〜0.016インチの内径を有する、請求項10340記載の装置。
[請求項10363]
スライド部材が、およそ0.003インチの内径を有する、請求項10340記載の装置。
[請求項10364]
スライド部材が、およそ1〜15センチメートルの縦方向の長さを有する、請求項10340記載の装置。
[請求項10365]
スライド部材がおよそ4センチメートルの縦方向の長さを有する、請求項10340記載の装置。
[請求項10366]
管状壁が、壁部材と近位部材とを含む近位末端を有し、近位部材がスライド部材にスライド可能に嵌合し、スライド部材がコードに固く嵌合し、スライド部材にはコードに嵌合するエンドキャップが含まれ、エンドキャップがおよそ0.001〜0.005インチの厚さを有する、請求項10340記載の装置。
[請求項10367]
管状壁が、壁部材と近位部材とを含む近位末端を有し、近位部材がスライド部材にスライド可能に嵌合し、スライド部材がコードに固く嵌合し、スライド部材にはコードに嵌合するエンドキャップが含まれ、エンドキャップがおよそ0.002〜0.003インチの厚さを有する、請求項10340記載の装置。
[請求項10368]
管状壁が、壁部材と近位部材とを含む近位末端を有し、近位部材がスライド部材にスライド可能に嵌合し、スライド部材がコードに固く嵌合し、スライド部材にはコードに嵌合するエンドキャップが含まれ、エンドキャップがおよそ0.008〜0.018インチの外径を有する、請求項10340記載の装置。
[請求項10369]
管状壁が、壁部材と近位部材とを含む近位末端を有し、近位部材がスライド部材にスライド可能に嵌合し、スライド部材がコードに固く嵌合し、スライド部材にはコードに嵌合するエンドキャップが含まれ、エンドキャップがおよそ0.010インチの外径を有する、請求項10340記載の装置。
[請求項10370]
管状壁が、壁部材と近位部材とを含む近位末端を有し、近位部材がスライド部材にスライド可能に嵌合し、スライド部材がコードに固く嵌合し、スライド部材にはコードに嵌合するエンドキャップが含まれ、エンドキャップがおよそ0.003〜0.009インチの内径を有する口を有する、請求項10340記載の装置。
[請求項10371]
管状壁が、壁部材と近位部材とを含む近位末端を有し、近位部材がスライド部材にスライド可能に嵌合し、スライド部材がコードに固く嵌合し、スライド部材にはコードに嵌合するエンドキャップが含まれ、エンドキャップがおよそ0.0043インチの内径を有する口を有する、請求項10340記載の装置。
[請求項10372]
管状壁の少なくとも一区分が、管状壁の近位区分の長さに及ぶ第一の柔軟性プロフィール、管状壁の中央区分の長さに及ぶ第二の柔軟性プロフィール、および管状壁の遠位区分の長さに及ぶ第三の柔軟性プロフィールを有する、請求項10001〜10277のいずれか一項記載の装置。
[請求項10373]
管状壁の近位区分が、インプラント嵌合開口部を画成する表面から近位のおよそ55〜80センチメートルの距離に配置される、請求項10372記載の装置。
[請求項10374]
管状壁の中央区分が、インプラント嵌合開口部を画成する表面から近位のおよそ35〜50センチメートルの距離に配置される、請求項10372記載の装置。
[請求項10375]
管状壁の遠位区分が、インプラント嵌合開口部を画成する表面から近位のおよそ0〜35センチメートルの距離に配置される、請求項10372記載の装置。
[請求項10376]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10372記載の装置。
[請求項10377]
管状壁の近位区分が、インプラント嵌合開口部を画成する表面から近位のおよそ55〜80センチメートルの距離に配置される、請求項10376記載の装置。
[請求項10378]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10372記載の装置。
[請求項10379]
管状壁の中央区分が、インプラント嵌合開口部を画成する表面から近位のおよそ35〜50センチメートルの距離に配置される、請求項10378記載の装置。
[請求項10380]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10372記載の装置。
[請求項10381]
管状壁の遠位区分が、インプラント嵌合開口部を画成する表面から近位のおよそ0〜35センチメートルの距離に配置される、請求項10380記載の装置。
[請求項10382]
管状壁の近位区分が、近位区分における点とインプラント嵌合開口部を画成する表面との間の管状壁によって画成される縦軸の周りに20度のたわみで0.045 in-lbsのモーメントを有する、請求項10372記載の装置。
[請求項10383]
管状壁の近位区分が、インプラント嵌合開口部を画成する表面から近位のおよそ55〜80センチメートルの距離に配置される、請求項10382記載の装置。
[請求項10384]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10372記載の装置。
[請求項10385]
管状壁の中央区分が、インプラント嵌合開口部を画成する表面から近位のおよそ35〜50センチメートルの距離に配置される、請求項10384記載の装置。
[請求項10386]
管状壁の遠位区分が、遠位区分における点とインプラント嵌合開口部を画成する表面との間の管状壁によって画成される縦軸の周りに20度のたわみで0.0005 in-lbsのモーメントを有する、請求項10372記載の装置。
[請求項10387]
管状壁の遠位区分が、インプラント嵌合開口部を画成する表面から近位のおよそ0〜35センチメートルの距離に配置される、請求項10386記載の装置。
[請求項10388]
第一の柔軟性プロフィールが、近位区分の縦方向の長さにわたってほぼ一定である柔軟性を画成する、請求項10372記載の装置。
[請求項10389]
管状壁の近位区分が、インプラント嵌合開口部を画成する表面から近位のおよそ55〜80センチメートルの距離に配置される、請求項10388記載の装置。
[請求項10390]
第二の柔軟性プロフィールが、中央区分の縦方向の長さにわたって100〜1000%の割合で変化する柔軟性を画成する、請求項10372記載の装置。
[請求項10391]
管状壁の中央区分が、インプラント嵌合開口部を画成する表面から近位のおよそ35〜50センチメートルの距離に配置される、請求項10390記載の装置。
[請求項10392]
第二の柔軟性プロフィールが、中央区分の縦方向の長さにわたって800%の割合で変化する柔軟性を画成する、請求項10372記載の装置。
[請求項10393]
管状壁の中央区分が、インプラント嵌合開口部を画成する表面から近位のおよそ35〜50センチメートルの距離に配置される、請求項10392記載の装置。
[請求項10394]
第三の柔軟性プロフィールが、遠位区分の縦方向の長さにわたって100〜800%の割合で変化する柔軟性を画成する、請求項10372記載の装置。
[請求項10395]
管状壁の遠位区分が、インプラント嵌合開口部を画成する表面から近位のおよそ0〜35センチメートルの距離に配置される、請求項10394記載の装置。
[請求項10396]
第三の柔軟性プロフィールが、遠位区分の縦方向の長さにわたって700%の割合で変化する柔軟性を画成する、請求項10372記載の装置。
[請求項10397]
管状壁の遠位区分が、インプラント嵌合開口部を画成する表面から近位のおよそ0〜35センチメートルの距離に配置される、請求項10396記載の装置。
[請求項10398]
第三の柔軟性プロフィールが、遠位区分の縦方向の長さにわたって100〜900%の割合で変化する柔軟性を画成する、請求項10372記載の装置。
[請求項10399]
管状壁の遠位区分が、インプラント嵌合開口部を画成する表面から近位のおよそ10〜35センチメートルの距離に配置される、請求項10398記載の装置。
[請求項10400]
第三の柔軟性プロフィールが、遠位区分の縦方向の長さにわたって500%の割合で変化する柔軟性を画成する、請求項10372記載の装置。
[請求項10401]
管状壁の遠位区分が、インプラント嵌合開口部を画成する表面から近位のおよそ10〜35センチメートルの距離に配置される、請求項10400記載の装置。
[請求項10402]
第三の柔軟性プロフィールが、遠位区分の縦方向の長さにわたって一定の割合で変化する柔軟性を画成する、請求項10372記載の装置。
[請求項10403]
縦方向の長さが、インプラント嵌合開口部を画成する表面から近位におよそ5〜35センチメートルである、請求項10402記載の装置。
[請求項10404]
管状壁の少なくとも一区分が、管状壁の近位区分の長さに及ぶ第一の柔軟性を画成する第一の柔軟性プロフィール、管状壁の中央区分の長さに及ぶ第二の柔軟性を画成する第二の柔軟性プロフィール、および管状壁の遠位区分の長さに及ぶ第三の柔軟性を画成する第三の柔軟性プロフィールを有し、第二の柔軟性が、第一および第三の柔軟性より大きい割合で変化する、請求項10001〜10277のいずれか一項記載の装置。
[請求項10405]
管状壁の近位区分が、インプラント嵌合開口部を画成する表面から近位のおよそ55〜80センチメートルの距離に配置される、請求項10404記載の装置。
[請求項10406]
管状壁の中央区分が、インプラント嵌合開口部を画成する表面から近位のおよそ35〜50センチメートルの距離に配置される、請求項10404記載の装置。
[請求項10407]
管状壁の遠位区分が、インプラント嵌合開口部を画成する表面から近位のおよそ0〜35センチメートルの距離に配置される、請求項10404記載の装置。
[請求項10408]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10404記載の装置。
[請求項10409]
管状壁の近位区分が、インプラント嵌合開口部を画成する表面から近位のおよそ55〜80センチメートルの距離に配置される、請求項10408記載の装置。
[請求項10410]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10404記載の装置。
[請求項10411]
管状壁の中央区分が、インプラント嵌合開口部を画成する表面から近位のおよそ35〜50センチメートルの距離に配置される、請求項10410記載の装置。
[請求項10412]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10404記載の装置。
[請求項10413]
管状壁の遠位区分が、インプラント嵌合開口部を画成する表面から近位のおよそ0〜35センチメートルの距離に配置される、請求項10412記載の装置。
[請求項10414]
管状壁の近位区分が、近位区分における点とインプラント嵌合開口部を画成する表面との間の管状壁によって画成される縦軸の周りに20度のたわみで0.045 in-lbsのモーメントを有する、請求項10404記載の装置。
[請求項10415]
管状壁の近位区分が、インプラント嵌合開口部を画成する表面から近位のおよそ55〜80センチメートルの距離に配置される、請求項10414記載の装置。
[請求項10416]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10404記載の装置。
[請求項10417]
管状壁の中央区分が、インプラント嵌合開口部を画成する表面から近位のおよそ35〜50センチメートルの距離に配置される、請求項10416記載の装置。
[請求項10418]
管状壁の遠位区分が、遠位区分における点とインプラント嵌合開口部を画成する表面との間の管状壁によって画成される縦軸の周りに20度のたわみで0.0005 in-lbsのモーメントを有する、請求項10404記載の装置。
[請求項10419]
管状壁の遠位区分が、インプラント嵌合開口部を画成する表面から近位のおよそ0〜35センチメートルの距離に配置される、請求項10418記載の装置。
[請求項10420]
第一の柔軟性が、近位区分の縦方向の長さにわたってほぼ一定である、請求項10404記載の装置。
[請求項10421]
管状壁の近位区分が、インプラント嵌合開口部を画成する表面から近位のおよそ55〜80センチメートルの距離に配置される、請求項10420記載の装置。
[請求項10422]
第二の柔軟性が、中央区分の縦方向の長さにわたって100〜1000%の割合で変化する、請求項10404記載の装置。
[請求項10423]
管状壁の中央区分が、インプラント嵌合開口部を画成する表面から近位のおよそ35〜50センチメートルの距離に配置される、請求項10422記載の装置。
[請求項10424]
第二の柔軟性が、中心区分の縦方向の長さにわたって800%の割合で変化する、請求項10404記載の装置。
[請求項10425]
管状壁の中央区分が、インプラント嵌合開口部を画成する表面から近位のおよそ35〜50センチメートルの距離に配置される、請求項10424記載の装置。
[請求項10426]
第三の柔軟性が、遠位区分の縦方向の長さにわたって100〜800%の割合で変化する、請求項10404記載の装置。
[請求項10427]
管状壁の遠位区分が、インプラント嵌合開口部を画成する表面から近位のおよそ0〜35センチメートルの距離に配置される、請求項10426記載の装置。
[請求項10428]
第三の柔軟性が、遠位区分の縦方向の長さにわたって700%の割合で変化する、請求項10404記載の装置。
[請求項10429]
管状壁の遠位区分が、インプラント嵌合開口部を画成する表面から近位のおよそ0〜35センチメートルの距離に配置される、請求項10428記載の装置。
[請求項10430]
第三の柔軟性が、遠位区分の縦方向の長さにわたって100〜900%の割合で変化する、請求項10404記載の装置。
[請求項10431]
管状壁の遠位区分が、インプラント嵌合開口部を画成する表面から近位のおよそ10〜35センチメートルの距離に配置される、請求項10430記載の装置。
[請求項10432]
第三の柔軟性が、遠位区分の縦方向の長さにわたって500%の割合で変化する、請求項10404記載の装置。
[請求項10433]
管状壁の遠位区分が、インプラント嵌合開口部を画成する表面から近位のおよそ10〜35センチメートルの距離に配置される、請求項10432記載の装置。
[請求項10434]
第三の柔軟性が、遠位区分の縦方向の長さにわたって一定の割合で変化する、請求項10404記載の装置。
[請求項10435]
縦方向の長さが、インプラント嵌合開口部を画成する表面から近位におよそ5〜35センチメートルである、請求項10434記載の装置。
[請求項10436]
管状壁の近位末端において印加された第一の軸力が管状壁の遠位末端において第二の軸力を引き起こす特性を、管状壁が有し、第一の軸力が第二の軸力の90%またはそれより大きい、請求項10001〜10277のいずれか一項記載の装置。
[請求項10437]
管状壁が少なくとも部分的にライナーを囲む、請求項10001〜10277のいずれか一項記載の装置。
[請求項10438]
管状壁の少なくとも一区分が、管状壁の近位区分の長さに及ぶ第一の柔軟性プロフィール、管状壁の中央区分の長さに及ぶ第二の柔軟性プロフィール、および管状壁の遠位区分の長さに及ぶ第三の柔軟性プロフィールを有する、請求項10437記載の装置。
[請求項10439]
管状壁の近位区分が、インプラント嵌合開口部を画成する表面から近位のおよそ55〜80センチメートルの距離に配置される、請求項10438記載の装置。
[請求項10440]
管状壁の中央区分が、インプラント嵌合開口部を画成する表面から近位のおよそ35〜50センチメートルの距離に配置される、請求項10438記載の装置。
[請求項10441]
管状壁の遠位区分が、インプラント嵌合開口部を画成する表面から近位のおよそ0〜35センチメートルの距離に配置される、請求項10438記載の装置。
[請求項10442]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10438記載の装置。
[請求項10443]
管状壁の近位区分が、インプラント嵌合開口部を画成する表面から近位のおよそ55〜80センチメートルの距離に配置される、請求項10442記載の装置。
[請求項10444]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10438記載の装置。
[請求項10445]
管状壁の中央区分が、インプラント嵌合開口部を画成する表面から近位のおよそ35〜50センチメートルの距離に配置される、請求項10444記載の装置。
[請求項10446]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10438記載の装置。
[請求項10447]
管状壁の遠位区分が、インプラント嵌合開口部を画成する表面から近位のおよそ0〜35センチメートルの距離に配置される、請求項10446記載の装置。
[請求項10448]
管状壁の近位区分が、近位区分における点とインプラント嵌合開口部を画成する表面との間の管状壁によって画成される縦軸の周りに20度のたわみで0.045 in-lbsのモーメントを有する、請求項10438記載の装置。
[請求項10449]
管状壁の近位区分が、インプラント嵌合開口部を画成する表面から近位のおよそ55〜80センチメートルの距離に配置される、請求項10448記載の装置。
[請求項10450]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10438記載の装置。
[請求項10451]
管状壁の中央区分が、インプラント嵌合開口部を画成する表面から近位のおよそ35〜50センチメートルの距離に配置される、請求項10450記載の装置。
[請求項10452]
管状壁の遠位区分が、遠位区分における点とインプラント嵌合開口部を画成する表面との間の管状壁によって画成される縦軸の周りに20度のたわみで0.0005 in-lbsのモーメントを有する、請求項10438記載の装置。
[請求項10453]
管状壁の遠位区分が、インプラント嵌合開口部を画成する表面から近位のおよそ0〜35センチメートルの距離に配置される、請求項10452記載の装置。
[請求項10454]
第一の柔軟性プロフィールが、近位区分の縦方向の長さにわたってほぼ一定である柔軟性を画成する、請求項10438記載の装置。
[請求項10455]
管状壁の近位区分が、インプラント嵌合開口部を画成する表面から近位のおよそ55〜80センチメートルの距離に配置される、請求項10454記載の装置。
[請求項10456]
第二の柔軟性プロフィールが、中央区分の縦方向の長さにわたって100〜1000%の割合で変化する柔軟性を画成する、請求項10438記載の装置。
[請求項10457]
管状壁の中央区分が、インプラント嵌合開口部を画成する表面から近位のおよそ35〜50センチメートルの距離に配置される、請求項10456記載の装置。
[請求項10458]
第二の柔軟性プロフィールが、中央区分の縦方向の長さにわたって800%の割合で変化する柔軟性を画成する、請求項10438記載の装置。
[請求項10459]
管状壁の中央区分が、インプラント嵌合開口部を画成する表面から近位のおよそ35〜50センチメートルの距離に配置される、請求項10458記載の装置。
[請求項10460]
第三の柔軟性プロフィールが、遠位区分の縦方向の長さにわたって100〜800%の割合で変化する柔軟性を画成する、請求項10438記載の装置。
[請求項10461]
管状壁の遠位区分が、インプラント嵌合開口部を画成する表面から近位のおよそ0〜35センチメートルの距離に配置される、請求項10460記載の装置。
[請求項10462]
第三の柔軟性プロフィールが、遠位区分の縦方向の長さにわたって700%の割合で変化する柔軟性を画成する、請求10438記載の装置。
[請求項10463]
管状壁の遠位区分が、インプラント嵌合開口部を画成する表面から近位のおよそ0〜35センチメートルの距離に配置される、請求項10462記載の装置。
[請求項10464]
第三の柔軟性プロフィールが、遠位区分の縦方向の長さにわたって100〜900%の割合で変化する柔軟性を画成する、請求項10438記載の装置。
[請求項10465]
管状壁の遠位区分が、インプラント嵌合開口部を画成する表面から近位のおよそ10〜35センチメートルの距離に配置される、請求項10464記載の装置。
[請求項10466]
第三の柔軟性プロフィールが、遠位区分の縦方向の長さにわたって500%の割合で変化する柔軟性を画成する、請求項10438記載の装置。
[請求項10467]
管状壁の遠位区分が、インプラント嵌合開口部を画成する表面から近位のおよそ10〜35センチメートルの距離に配置される、請求項10466記載の装置。
[請求項10468]
第三の柔軟性プロフィールが、遠位区分の縦方向の長さにわたって一定の割合で変化する柔軟性を画成する、請求項10438記載の装置。
[請求項10469]
縦方向の長さが、インプラント嵌合開口部を画成する表面から近位におよそ5〜35センチメートルである、請求項10468記載の装置。
[請求項10470]
管状壁の少なくとも一区分が、管状壁の近位区分の長さに及ぶ第一の柔軟性を画成する第一の柔軟性プロフィール、管状壁の中央区分の長さに及ぶ第二の柔軟性を画成する第二の柔軟性プロフィール、および管状壁の遠位区分の長さに及ぶ第三の柔軟性を画成する第三の柔軟性プロフィールを有し、第二の柔軟性が、第一および第三の柔軟性より大きい割合で変化する、請求項10437記載の装置。
[請求項10471]
管状壁の近位区分が、インプラント嵌合開口部を画成する表面から近位のおよそ55〜80センチメートルの距離に配置される、請求項10470記載の装置。
[請求項10472]
管状壁の中央区分が、インプラント嵌合開口部を画成する表面から近位のおよそ35〜50センチメートルの距離に配置される、請求項10470記載の装置。
[請求項10473]
管状壁の遠位区分が、インプラント嵌合開口部を画成する表面から近位のおよそ0〜35センチメートルの距離に配置される、請求項10470記載の装置。
[請求項10474]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10470記載の装置。
[請求項10475]
管状壁の近位区分が、インプラント嵌合開口部を画成する表面から近位のおよそ55〜80センチメートルの距離に配置される、請求項10474記載の装置。
[請求項10476]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10470記載の装置。
[請求項10477]
管状壁の中央区分が、インプラント嵌合開口部を画成する表面から近位のおよそ35〜50センチメートルの距離に配置される、請求項10476記載の装置。
[請求項10478]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10470記載の装置。
[請求項10479]
管状壁の遠位区分が、インプラント嵌合開口部を画成する表面から近位のおよそ0〜35センチメートルの距離に配置される、請求項10478記載の装置。
[請求項10480]
管状壁の近位区分が、近位区分における点とインプラント嵌合開口部を画成する表面との間の管状壁によって画成される縦軸の周りに20度のたわみで0.045 in-lbsのモーメントを有する、請求項10470記載の装置。
[請求項10481]
管状壁の近位区分が、インプラント嵌合開口部を画成する表面から近位のおよそ55〜80センチメートルの距離に配置される、請求項10480記載の装置。
[請求項10482]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10470記載の装置。
[請求項10483]
管状壁の中央区分が、インプラント嵌合開口部を画成する表面から近位のおよそ35〜50センチメートルの距離に配置される、請求項10482記載の装置。
[請求項10484]
管状壁の遠位区分が、遠位区分における点とインプラント嵌合開口部を画成する表面との間の管状壁によって画成される縦軸の周りに20度のたわみで0.0005 in-lbsのモーメントを有する、請求項10470記載の装置。
[請求項10485]
管状壁の遠位区分が、インプラント嵌合開口部を画成する表面から近位のおよそ0〜35センチメートルの距離に配置される、請求項10484記載の装置。
[請求項10486]
第一の柔軟性が、近位区分の縦方向の長さにわたってほぼ一定である、請求項10470記載の装置。
[請求項10487]
管状壁の近位区分が、インプラント嵌合開口部を画成する表面から近位のおよそ55〜80センチメートルの距離に配置される、請求項10486記載の装置。
[請求項10488]
第二の柔軟性プロフィールが、中央区分の縦方向の長さにわたって100〜1000%の割合で変化する、請求項10470記載の装置。
[請求項10489]
管状壁の中央区分が、インプラント嵌合開口部を画成する表面から近位のおよそ35〜50センチメートルの距離に配置される、請求項10488記載の装置。
[請求項10490]
第二の柔軟性が、中央区分の縦方向の長さにわたって800%の割合で変化する、請求項10470記載の装置。
[請求項10491]
管状壁の中央区分が、インプラント嵌合開口部を画成する表面から近位のおよそ35〜50センチメートルの距離に配置される、請求項10490記載の装置。
[請求項10492]
第三の柔軟性が、遠位区分の縦方向の長さにわたって100〜800%の割合で変化する、請求項10470記載の装置。
[請求項10493]
管状壁の遠位区分が、インプラント嵌合開口部を画成する表面から近位のおよそ0〜35センチメートルの距離に配置される、請求項10492記載の装置。
[請求項10494]
第三の柔軟性が、遠位区分の縦方向の長さにわたって700%の割合で変化する、請求項10470記載の装置。
[請求項10495]
管状壁の遠位区分が、インプラント嵌合開口部を画成する表面から近位のおよそ0〜35センチメートルの距離に配置される、請求項10494記載の装置。
[請求項10496]
第三の柔軟性が、遠位区分の縦方向の長さにわたって100〜900%の割合で変化する、請求項10470記載の装置。
[請求項10497]
管状壁の遠位区分が、インプラント嵌合開口部を画成する表面から近位のおよそ10〜35センチメートルの距離に配置される、請求項10496記載の装置。
[請求項10498]
第三の柔軟性が、遠位区分の縦方向の長さにわたって500%の割合で変化する、請求項10470記載の装置。
[請求項10499]
管状壁の遠位区分が、インプラント嵌合開口部を画成する表面から近位のおよそ10〜35センチメートルの距離に配置される、請求項10498記載の装置。
[請求項10500]
第三の柔軟性が、遠位区分の縦方向の長さにわたって一定の割合で変化する、請求項10470記載の装置。
[請求項10501]
縦方向の長さが、インプラント嵌合開口部を画成する表面から近位におよそ5〜35センチメートルである、請求項10500記載の装置。
[請求項10502]
ライナーが、内腔表面を有し、かつコードの外表面の少なくとも一区分の周囲に配置され、内腔表面と外表面との間の摩擦係数が0.045またはそれ未満である、請求項10437記載の装置。
[請求項10503]
管状壁の少なくとも一区分が、管状壁の近位区分の長さに及ぶ第一の柔軟性プロフィール、管状壁の中央区分の長さに及ぶ第二の柔軟性プロフィール、および管状壁の遠位区分の長さに及ぶ第三の柔軟性プロフィールを有する、請求項10502項記載の装置。
[請求項10504]
管状壁の近位区分が、インプラント嵌合開口部を画成する表面から近位のおよそ55〜80センチメートルの距離に配置される、請求項10503記載の装置。
[請求項10505]
管状壁の中央区分が、インプラント嵌合開口部を画成する表面から近位のおよそ35〜50センチメートルの距離に配置される、請求項10503記載の装置。
[請求項10506]
管状壁の遠位区分が、インプラント嵌合開口部を画成する表面から近位のおよそ0〜35センチメートルの距離に配置される、請求項10503記載の装置。
[請求項10507]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10503記載の装置。
[請求項10508]
管状壁の近位区分が、インプラント嵌合開口部を画成する表面から近位のおよそ55〜80センチメートルの距離に配置される、請求項10507記載の装置。
[請求項10509]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10503記載の装置。
[請求項10510]
管状壁の中央区分が、インプラント嵌合開口部を画成する表面から近位のおよそ35〜50センチメートルの距離に配置される、請求項10509記載の装置。
[請求項10511]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10503記載の装置。
[請求項10512]
管状壁の遠位区分が、インプラント嵌合開口部を画成する表面から近位のおよそ0〜35センチメートルの距離に配置される、請求項10511記載の装置。
[請求項10513]
管状壁の近位区分が、近位区分における点とインプラント嵌合開口部を画成する表面との間の管状壁によって画成される縦軸の周りに20度のたわみで0.045 in-lbsのモーメントを有する、請求項10503記載の装置。
[請求項10514]
管状壁の近位区分が、インプラント嵌合開口部を画成する表面から近位のおよそ55〜80センチメートルの距離に配置される、請求項10513記載の装置。
[請求項10515]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10503記載の装置。
[請求項10516]
管状壁の中央区分が、インプラント嵌合開口部を画成する表面から近位のおよそ35〜50センチメートルの距離に配置される、請求項10515記載の装置。
[請求項10517]
管状壁の遠位区分が、遠位区分における点とインプラント嵌合開口部を画成する表面との間の管状壁によって画成される縦軸の周りに20度のたわみで0.0005 in-lbsのモーメントを有する、請求項10503記載の装置。
[請求項10518]
管状壁の遠位区分が、インプラント嵌合開口部を画成する表面から近位のおよそ0〜35センチメートルの距離に配置される、請求項10517記載の装置。
[請求項10519]
第一の柔軟性プロフィールが、近位区分の縦方向の長さにわたってほぼ一定である柔軟性を画成する、請求項10503記載の装置。
[請求項10520]
管状壁の近位区分が、インプラント嵌合開口部を画成する表面から近位のおよそ55〜80センチメートルの距離に配置される、請求項10519記載の装置。
[請求項10521]
第二の柔軟性プロフィールが、中央区分の縦方向の長さにわたって100〜1000%の割合で変化する柔軟性を画成する、請求項10503記載の装置。
[請求項10522]
管状壁の中央区分が、インプラント嵌合開口部を画成する表面から近位のおよそ35〜50センチメートルの距離に配置される、請求項10521記載の装置。
[請求項10523]
第二の柔軟性プロフィールが、中央区分の縦方向の長さにわたって800%の割合で変化する柔軟性を画成する、請求項10503記載の装置。
[請求項10524]
管状壁の中央区分が、インプラント嵌合開口部を画成する表面から近位のおよそ35〜50センチメートルの距離に配置される、請求項10523記載の装置。
[請求項10525]
第三の柔軟性プロフィールが、遠位区分の縦方向の長さにわたって100〜800%の割合で変化する柔軟性を画成する、請求項10503記載の装置。
[請求項10526]
管状壁の遠位区分が、インプラント嵌合開口部を画成する表面から近位のおよそ0〜35センチメートルの距離に配置される、請求項10525記載の装置。
[請求項10527]
第三の柔軟性プロフィールが、遠位区分の縦方向の長さにわたって700%の割合で変化する柔軟性を画成する、請求項10503記載の装置。
[請求項10528]
管状壁の遠位区分が、インプラント嵌合開口部を画成する表面から近位のおよそ0〜35センチメートルの距離に配置される、請求項10527記載の装置。
[請求項10529]
第三の柔軟性プロフィールが、遠位区分の縦方向の長さにわたって100〜900%の割合で変化する柔軟性を画成する、請求項10503記載の装置。
[請求項10530]
管状壁の遠位区分が、インプラント嵌合開口部を画成する表面から近位のおよそ10〜35センチメートルの距離に配置される、請求項10529記載の装置。
[請求項10531]
第三の柔軟性プロフィールが、遠位区分の縦方向の長さにわたって500%の割合で変化する柔軟性を画成する、請求項10503記載の装置。
[請求項10532]
管状壁の遠位区分が、インプラント嵌合開口部を画成する表面から近位のおよそ10〜35センチメートルの距離に配置される、請求項10531記載の装置。
[請求項10533]
第三の柔軟性プロフィールが、遠位区分の縦方向の長さにわたって一定の割合で変化する柔軟性を画成する、請求項10503記載の装置。
[請求項10534]
縦方向の長さが、インプラント嵌合開口部を画成する表面から近位におよそ5〜35センチメートルである、請求項10533記載の装置。
[請求項10535]
管状壁の少なくとも一区分が、管状壁の近位区分の長さに及ぶ第一の柔軟性を画成する第一の柔軟性プロフィール、管状壁の中央区分の長さに及ぶ第二の柔軟性を画成する第二の柔軟性プロフィール、および管状壁の遠位区分の長さに及ぶ第三の柔軟性を画成する第三の柔軟性プロフィールを有し、第二の柔軟性が、第一および第三の柔軟性より大きい割合で変化する、請求項10502記載の装置。
[請求項10536]
管状壁の近位区分が、インプラント嵌合開口部を画成する表面から近位のおよそ55〜80センチメートルの距離に配置される、請求項10535記載の装置。
[請求項10537]
管状壁の中央区分が、インプラント嵌合開口部を画成する表面から近位のおよそ35〜50センチメートルの距離に配置される、請求項10535記載の装置。
[請求項10538]
管状壁の遠位区分が、インプラント嵌合開口部を画成する表面から近位のおよそ0〜35センチメートルの距離に配置される、請求項10535記載の装置。
[請求項10539]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10535記載の装置。
[請求項10540]
管状壁の近位区分が、インプラント嵌合開口部を画成する表面から近位のおよそ55〜80センチメートルの距離に配置される、請求項10539記載の装置。
[請求項10541]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10535記載の装置。
[請求項10542]
管状壁の中央区分が、インプラント嵌合開口部を画成する表面から近位のおよそ35〜50センチメートルの距離に配置される、請求項10541記載の装置。
[請求項10543]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10535記載の装置。
[請求項10544]
管状壁の遠位区分が、インプラント嵌合開口部を画成する表面から近位のおよそ0〜35センチメートルの距離に配置される、請求項10543記載の装置。
[請求項10545]
管状壁の近位区分が、近位区分における点とインプラント嵌合開口部を画成する表面との間の管状壁によって画成される縦軸の周りに20度のたわみで0.045 in-lbsのモーメントを有する、請求項10535記載の装置。
[請求項10546]
管状壁の近位区分が、インプラント嵌合開口部を画成する表面から近位のおよそ55〜80センチメートルの距離に配置される、請求項10545記載の装置。
[請求項10547]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10535記載の装置。
[請求項10548]
管状壁の中央区分が、インプラント嵌合開口部を画成する表面から近位のおよそ35〜50センチメートルの距離に配置される、請求項10547記載の装置。
[請求項10549]
管状壁の遠位区分が、遠位区分における点とインプラント嵌合開口部を画成する表面との間の管状壁によって画成される縦軸の周りに20度のたわみで0.0005 in-lbsのモーメントを有する、請求項10535記載の装置。
[請求項10550]
管状壁の遠位区分が、インプラント嵌合開口部を画成する表面から近位のおよそ0〜35センチメートルの距離に配置される、請求項10549記載の装置。
[請求項10551]
第一の柔軟性が、近位区分の縦方向の長さにわたってほぼ一定である、請求項10535記載の装置。
[請求項10552]
管状壁の近位区分が、インプラント嵌合開口部を画成する表面から近位のおよそ55〜80センチメートルの距離に配置される、請求項10551記載の装置。
[請求項10553]
第二の柔軟性が、中央区分の縦方向の長さにわたって100〜1000%の割合で変化する、請求項10535記載の装置。
[請求項10554]
管状壁の中央区分が、インプラント嵌合開口部を画成する表面から近位のおよそ35〜50センチメートルの距離に配置される、請求項10553記載の装置。
[請求項10555]
第二の柔軟性が、中央区分の縦方向の長さにわたって800%の割合で変化する、請求項10535記載の装置。
[請求項10556]
管状壁の中央区分が、インプラント嵌合開口部を画成する表面から近位のおよそ35〜50センチメートルの距離に配置される、請求項10555記載の装置。
[請求項10557]
第三の柔軟性が、遠位区分の縦方向の長さにわたって100〜800%の割合で変化する、請求項10535記載の装置。
[請求項10558]
管状壁の遠位区分が、インプラント嵌合開口部を画成する表面から近位のおよそ0〜35センチメートルの距離に配置される、請求項10557記載の装置。
[請求項10559]
第三の柔軟性が、遠位区分の縦方向の長さにわたって700%の割合で変化する、請求項10535記載の装置。
[請求項10560]
管状壁の遠位区分が、インプラント嵌合開口部を画成する表面から近位のおよそ0〜35センチメートルの距離に配置される、請求項10559記載の装置。
[請求項10561]
第三の柔軟性が、遠位区分の縦方向の長さにわたって100〜900%の割合で変化する、請求項10535記載の装置。
[請求項10562]
管状壁の遠位区分が、インプラント嵌合開口部を画成する表面から近位のおよそ10〜35センチメートルの距離に配置される、請求項10561記載の装置。
[請求項10563]
第三の柔軟性が、遠位区分の縦方向の長さにわたって500%の割合で変化する、請求項10535記載の装置。
[請求項10564]
管状壁の遠位区分が、インプラント嵌合開口部を画成する表面から近位のおよそ10〜35センチメートルの距離に配置される、請求項10563記載の装置。
[請求項10565]
第三の柔軟性が、遠位区分の縦方向の長さにわたって一定の割合で変化する、請求項10535記載の装置。
[請求項10566]
縦方向の長さが、インプラント嵌合開口部を画成する表面から近位のおよそ5〜35センチメートルである、請求項10565記載の装置。
[請求項10567]
ライナーが、表面粗さ200マイクロインチ未満の内腔表面を有し、コードが、該内腔表面に隣接して配置された、表面粗さ50マイクロインチ未満の外表面を有する、請求項10473記載の装置。
[請求項10568]
管状壁の少なくとも一区分が、管状壁の近位区分の長さに及ぶ第一の柔軟性プロフィール、管状壁の中央区分の長さに及ぶ第二の柔軟性プロフィール、および管状壁の遠位区分の長さに及ぶ第三の柔軟性プロフィールを有する、請求項10567記載の装置。
[請求項10569]
管状壁の近位区分が、インプラント嵌合開口部を画成する表面から近位のおよそ55〜80センチメートルの距離に配置される、請求項10568記載の装置。
[請求項10570]
管状壁の中央区分が、インプラント嵌合開口部を画成する表面から近位のおよそ35〜50センチメートルの距離に配置される、請求項10568記載の装置。
[請求項10571]
管状壁の遠位区分が、インプラント嵌合開口部を画成する表面から近位のおよそ0〜35センチメートルの距離に配置される、請求項10568記載の装置。
[請求項10572]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10568記載の装置。
[請求項10573]
管状壁の近位区分が、インプラント嵌合開口部を画成する表面から近位のおよそ55〜80センチメートルの距離に配置される、請求項10572記載の装置。
[請求項10574]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10568記載の装置。
[請求項10575]
管状壁の中央区分が、インプラント嵌合開口部を画成する表面から近位のおよそ35〜50センチメートルの距離に配置される、請求項10574記載の装置。
[請求項10576]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10568記載の装置。
[請求項10577]
管状壁の遠位区分が、インプラント嵌合開口部を画成する表面から近位のおよそ0〜35センチメートルの距離に配置される、請求項10576記載の装置。
[請求項10578]
管状壁の近位区分が、近位区分における点とインプラント嵌合開口部を画成する表面との間の管状壁によって画成される縦軸の周りに20度のたわみで0.045 in-lbsのモーメントを有する、請求項10568記載の装置。
[請求項10579]
管状壁の近位区分が、インプラント嵌合開口部を画成する表面から近位のおよそ55〜80センチメートルの距離に配置される、請求項10578記載の装置。
[請求項10580]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10568記載の装置。
[請求項10581]
管状壁の中央区分が、インプラント嵌合開口部を画成する表面から近位のおよそ35〜50センチメートルの距離に配置される、請求項10580記載の装置。
[請求項10582]
管状壁の遠位区分が、遠位区分における点とインプラント嵌合開口部を画成する表面との間の管状壁によって画成される縦軸の周りに20度のたわみで0.0005 in-lbsのモーメントを有する、請求項10568記載の装置。
[請求項10583]
管状壁の遠位区分が、インプラント嵌合開口部を画成する表面から近位のおよそ0〜35センチメートルの距離に配置される、請求項10582記載の装置。
[請求項10584]
第一の柔軟性プロフィールが、近位区分の縦方向の長さにわたってほぼ一定である柔軟性を画成する、請求項10568記載の装置。
[請求項10585]
管状壁の近位区分が、インプラント嵌合開口部を画成する表面から近位のおよそ55〜80センチメートルの距離に配置される、請求項10584記載の装置。
[請求項10586]
第二の柔軟性プロフィールが、中央区分の縦方向の長さにわたって100〜1000%の割合で変化する柔軟性を画成する、請求項10568記載の装置。
[請求項10587]
管状壁の中央区分が、インプラント嵌合開口部を画成する表面から近位のおよそ35〜50センチメートルの距離に配置される、請求項10586記載の装置。
[請求項10588]
第二の柔軟性プロフィールが、中央区分の縦方向の長さにわたって800%の割合で変化する柔軟性を画成する、請求項10568記載の装置。
[請求項10589]
管状壁の中央区分が、インプラント嵌合開口部を画成する表面から近位のおよそ35〜50センチメートルの距離に配置される、請求項10588記載の装置。
[請求項10590]
第三の柔軟性プロフィールが、遠位区分の縦方向の長さにわたって100〜800%の割合で変化する柔軟性を画成する、請求項10568記載の装置。
[請求項10591]
管状壁の遠位区分が、インプラント嵌合開口部を画成する表面から近位のおよそ0〜35センチメートルの距離に配置される、請求項10590記載の装置。
[請求項10592]
第三の柔軟性プロフィールが、遠位区分の縦方向の長さにわたって700%の割合で変化する柔軟性を画成する、請求項10568記載の装置。
[請求項10593]
管状壁の遠位区分が、インプラント嵌合開口部を画成する表面から近位のおよそ0〜35センチメートルの距離に配置される、請求項10592記載の装置。
[請求項10594]
第三の柔軟性プロフィールが、遠位区分の縦方向の長さにわたって100〜900%の割合で変化する柔軟性を画成する、請求項10568記載の装置。
[請求項10595]
管状壁の遠位区分が、インプラント嵌合開口部を画成する表面から近位のおよそ10〜35センチメートルの距離に配置される、請求項10594記載の装置。
[請求項10596]
第三の柔軟性プロフィールが、遠位区分の縦方向の長さにわたって500%の割合で変化する柔軟性を画成する、請求項10568記載の装置。
[請求項10597]
管状壁の遠位区分が、インプラント嵌合開口部を画成する表面から近位のおよそ10〜35センチメートルの距離に配置される、請求項10596記載の装置。
[請求項10598]
第三の柔軟性プロフィールが、遠位区分の縦方向の長さにわたって一定の割合で変化する柔軟性を画成する、請求項10568記載の装置。
[請求項10599]
縦方向の長さが、インプラント嵌合開口部を画成する表面から近位のおよそ5〜35センチメートルである、請求項10598記載の装置。
[請求項10600]
管状壁の少なくとも一区分が、管状壁の近位区分の長さに及ぶ第一の柔軟性を画成する第一の柔軟性プロフィール、管状壁の中央区分の長さに及ぶ第二の柔軟性を画成する第二の柔軟性プロフィール、および管状壁の遠位区分の長さに及ぶ第三の柔軟性を画成する第三の柔軟性プロフィールを有し、第二の柔軟性が、第一および第三の柔軟性より大きい割合で変化する、請求項10567記載の装置。
[請求項10601]
管状壁の近位区分が、インプラント嵌合開口部を画成する表面から近位のおよそ55〜80センチメートルの距離に配置される、請求項10600記載の装置。
[請求項10602]
管状壁の中央区分が、インプラント嵌合開口部を画成する表面から近位のおよそ35〜50センチメートルの距離に配置される、請求項10600記載の装置。
[請求項10603]
管状壁の遠位区分が、インプラント嵌合開口部を画成する表面から近位のおよそ0〜35センチメートルの距離に配置される、請求項10600記載の装置。
[請求項10604]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10600記載の装置。
[請求項10605]
管状壁の近位区分が、インプラント嵌合開口部を画成する表面から近位のおよそ55〜80センチメートルの距離に配置される、請求項10604記載の装置。
[請求項10606]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10600記載の装置。
[請求項10607]
管状壁の中央区分が、インプラント嵌合開口部を画成する表面から近位のおよそ35〜50センチメートルの距離に配置される、請求項10606記載の装置。
[請求項10608]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10600記載の装置。
[請求項10609]
管状壁の遠位区分が、インプラント嵌合開口部を画成する表面から近位のおよそ0〜35センチメートルの距離に配置される、請求項10608記載の装置。
[請求項10610]
管状壁の近位区分が、近位区分における点とインプラント嵌合開口部を画成する表面との間の管状壁によって画成される縦軸の周りに20度のたわみで0.045 in-lbsのモーメントを有する、請求項10600記載の装置。
[請求項10611]
管状壁の近位区分が、インプラント嵌合開口部を画成する表面から近位のおよそ55〜80センチメートルの距離に配置される、請求項10610記載の装置。
[請求項10612]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10600記載の装置。
[請求項10613]
管状壁の中央区分が、インプラント嵌合開口部を画成する表面から近位のおよそ35〜50センチメートルの距離に配置される、請求項10612記載の装置。
[請求項10614]
管状壁の遠位区分が、遠位区分における点とインプラント嵌合開口部を画成する表面との間の管状壁によって画成される縦軸の周りに20度のたわみで0.0005 in-lbsのモーメントを有する、請求項10600記載の装置。
[請求項10615]
管状壁の遠位区分が、インプラント嵌合開口部を画成する表面から近位のおよそ0〜35センチメートルの距離に配置される、請求項10614記載の装置。
[請求項10616]
第一の柔軟性が、近位区分の縦方向の長さにわたってほぼ一定である、請求項10600記載の装置。
[請求項10617]
管状壁の近位区分が、インプラント嵌合開口部を画成する表面から近位のおよそ55〜80センチメートルの距離に配置される、請求項10616記載の装置。
[請求項10618]
第二の柔軟性が、中央区分の縦方向の長さにわたって100〜1000%の割合で変化する、請求項10600記載の装置。
[請求項10619]
管状壁の中央区分が、インプラント嵌合開口部を画成する表面から近位のおよそ35〜50センチメートルの距離に配置される、請求項10618記載の装置。
[請求項10620]
第二の柔軟性が、中央区分の縦方向の長さにわたって800%の割合で変化する、請求項10600記載の装置。
[請求項10621]
管状壁の中央区分が、インプラント嵌合開口部を画成する表面から近位のおよそ35〜50センチメートルの距離に配置される、請求項10620記載の装置。
[請求項10622]
第三の柔軟性が、遠位区分の縦方向の長さにわたって100〜800%の割合で変化する、請求項10600記載の装置。
[請求項10623]
管状壁の遠位区分が、インプラント嵌合開口部を画成する表面から近位のおよそ0〜35センチメートルの距離に配置される、請求項10622記載の装置。
[請求項10624]
第三の柔軟性が、遠位区分の縦方向の長さにわたって700%の割合で変化する、請求項10600記載の装置。
[請求項10625]
管状壁の遠位区分が、インプラント嵌合開口部を画成する表面から近位のおよそ0〜35センチメートルの距離に配置される、請求項10624記載の装置。
[請求項10626]
第三の柔軟性が、遠位区分の縦方向の長さにわたって100〜900%の割合で変化する、請求項10600記載の装置。
[請求項10627]
管状壁の遠位区分が、インプラント嵌合開口部を画成する表面から近位のおよそ10〜35センチメートルの距離に配置される、請求項10626記載の装置。
[請求項10628]
第三の柔軟性が、遠位区分の縦方向の長さにわたって500%の割合で変化する、請求項10600記載の装置。
[請求項10629]
管状壁の遠位区分が、インプラント嵌合開口部を画成する表面から近位のおよそ10〜35センチメートルの距離に配置される、請求項10628記載の装置。
[請求項10630]
第三の柔軟性が、遠位区分の縦方向の長さにわたって一定の割合で変化する、請求項10600記載の装置。
[請求項10631]
縦方向の長さが、インプラント嵌合開口部を画成する表面から近位のおよそ5〜35センチメートルである、請求項10630記載の装置。
[請求項10632]
管状壁が内腔表面を有し、内腔表面が内腔を画成し、コードが、該内腔に配置された外表面を有し、コード外表面および内腔表面が、管状壁を包括的に900〜4000度の範囲で蛇行させた場合に互いに対してスライド可能なままである、請求項10001〜10277のいずれか一項記載の装置。
[請求項10633]
管状壁の少なくとも一区分が、管状壁の近位区分の長さに及ぶ第一の柔軟性プロフィール、管状壁の中央区分の長さに及ぶ第二の柔軟性プロフィール、および管状壁の遠位区分の長さに及ぶ第三の柔軟性プロフィールを有する、請求項10632記載の装置。
[請求項10634]
管状壁の近位区分が、インプラント嵌合開口部を画成する表面から近位のおよそ55〜80センチメートルの距離に配置される、請求項10633記載の装置。
[請求項10635]
管状壁の中央区分が、インプラント嵌合開口部を画成する表面から近位のおよそ35〜50センチメートルの距離に配置される、請求項10633記載の装置。
[請求項10636]
管状壁の遠位区分が、インプラント嵌合開口部を画成する表面から近位のおよそ0〜35センチメートルの距離に配置される、請求項10633記載の装置。
[請求項10637]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10633記載の装置。
[請求項10638]
管状壁の近位区分が、インプラント嵌合開口部を画成する表面から近位のおよそ55〜80センチメートルの距離に配置される、請求項10637記載の装置。
[請求項10639]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10633記載の装置。
[請求項10640]
管状壁の中央区分が、インプラント嵌合開口部を画成する表面から近位のおよそ35〜50センチメートルの距離に配置される、請求項10639記載の装置。
[請求項10641]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10633記載の装置。
[請求項10642]
管状壁の遠位区分が、インプラント嵌合開口部を画成する表面から近位のおよそ0〜35センチメートルの距離に配置される、請求項10641記載の装置。
[請求項10643]
管状壁の近位区分が、近位区分における点とインプラント嵌合開口部を画成する表面との間の管状壁によって画成される縦軸の周りに20度のたわみで0.045 in-lbsのモーメントを有する、請求項10633記載の装置。
[請求項10644]
管状壁の近位区分が、インプラント嵌合開口部を画成する表面から近位のおよそ55〜80センチメートルの距離に配置される、請求項10643記載の装置。
[請求項10645]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10633記載の装置。
[請求項10646]
管状壁の中央区分が、インプラント嵌合開口部を画成する表面から近位のおよそ35〜50センチメートルの距離に配置される、請求項10645記載の装置。
[請求項10647]
管状壁の遠位区分が、遠位区分における点とインプラント嵌合開口部を画成する表面との間の管状壁によって画成される縦軸の周りに20度のたわみで0.0005 in-lbsのモーメントを有する、請求項10633記載の装置。
[請求項10648]
管状壁の遠位区分が、インプラント嵌合開口部を画成する表面から近位のおよそ0〜35センチメートルの距離に配置される、請求項10647記載の装置。
[請求項10649]
第一の柔軟性プロフィールが、近位区分の縦方向の長さにわたってほぼ一定である柔軟性を画成する、請求項10633記載の装置。
[請求項10650]
管状壁の近位区分が、インプラント嵌合開口部を画成する表面から近位のおよそ55〜80センチメートルの距離に配置される、請求項10649記載の装置。
[請求項10651]
第二の柔軟性プロフィールが、中央区分の縦方向の長さにわたって100〜1000%の割合で変化する柔軟性を画成する、請求項10633記載の装置。
[請求項10652]
管状壁の中央区分が、インプラント嵌合開口部を画成する表面から近位のおよそ35〜50センチメートルの距離に配置される、請求項10651記載の装置。
[請求項10653]
第二の柔軟性プロフィールが、中央区分の縦方向の長さにわたって800%の割合で変化する柔軟性を画成する、請求項10633記載の装置。
[請求項10654]
管状壁の中央区分が、インプラント嵌合開口部を画成する表面から近位のおよそ35〜50センチメートルの距離に配置される、請求項10653記載の装置。
[請求項10655]
第三の柔軟性プロフィールが、遠位区分の縦方向の長さにわたって100〜800%の割合で変化する柔軟性を画成する、請求項10633記載の装置。
[請求項10656]
管状壁の遠位区分が、インプラント嵌合開口部を画成する表面から近位のおよそ0〜35センチメートルの距離に配置される、請求項10655記載の装置。
[請求項10657]
第三の柔軟性プロフィールが、遠位区分の縦方向の長さにわたって700%の割合で変化する柔軟性を画成する、請求項10633記載の装置。
[請求項10658]
管状壁の遠位区分が、インプラント嵌合開口部を画成する表面から近位のおよそ0〜35センチメートルの距離に配置される、請求項10657記載の装置。
[請求項10659]
第三の柔軟性プロフィールが、遠位区分の縦方向の長さにわたって100〜900%の割合で変化する柔軟性を画成する、請求項10633記載の装置。
[請求項10660]
管状壁の遠位区分が、インプラント嵌合開口部を画成する表面から近位のおよそ10〜35センチメートルの距離に配置される、請求項10659記載の装置。
[請求項10661]
第三の柔軟性プロフィールが、遠位区分の縦方向の長さにわたって500%の割合で変化する柔軟性を画成する、請求項10633記載の装置。
[請求項10662]
管状壁の遠位区分が、インプラント嵌合開口部を画成する表面から近位のおよそ10〜35センチメートルの距離に配置される、請求項10661記載の装置。
[請求項10663]
第三の柔軟性プロフィールが、遠位区分の縦方向の長さにわたって一定の割合で変化する柔軟性を画成する、請求項10633記載の装置。
[請求項10664]
縦方向の長さが、インプラント嵌合開口部を画成する表面から近位のおよそ5〜35センチメートルである、請求10663記載の装置。
[請求項10665]
管状壁の少なくとも一区分が、管状壁の近位区分の長さに及ぶ第一の柔軟性を画成する第一の柔軟性プロフィール、管状壁の中央区分の長さに及ぶ第二の柔軟性を画成する第二の柔軟性プロフィール、および管状壁の遠位区分の長さに及ぶ第三の柔軟性を画成する第三の柔軟性プロフィールを有し、第二の柔軟性が、第一および第三の柔軟性より大きい割合で変化する、請求項10632記載の装置。
[請求項10666]
管状壁の近位区分が、インプラント嵌合開口部を画成する表面から近位のおよそ55〜80センチメートルの距離に配置される、請求項10665記載の装置。
[請求項10667]
管状壁の中央区分が、インプラント嵌合開口部を画成する表面から近位のおよそ35〜50センチメートルの距離に配置される、請求項10665記載の装置。
[請求項10668]
管状壁の遠位区分が、インプラント嵌合開口部を画成する表面から近位のおよそ0〜35センチメートルの距離に配置される、請求項10665記載の装置。
[請求項10669]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10665記載の装置。
[請求項10670]
管状壁の近位区分が、インプラント嵌合開口部を画成する表面から近位のおよそ55〜80センチメートルの距離に配置される、請求項10669記載の装置。
[請求項10671]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10665記載の装置。
[請求項10672]
管状壁の中央区分が、インプラント嵌合開口部を画成する表面から近位のおよそ35〜50センチメートルの距離に配置される、請求項10671記載の装置。
[請求項10673]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10665記載の装置。
[請求項10674]
管状壁の遠位区分が、インプラント嵌合開口部を画成する表面から近位のおよそ0〜35センチメートルの距離に配置される、請求項10673記載の装置。
[請求項10675]
管状壁の近位区分が、近位区分における点とインプラント嵌合開口部を画成する表面との間の管状壁によって画成される縦軸の周りに20度のたわみで0.045 in-lbsのモーメントを有する、請求項10665記載の装置。
[請求項10676]
管状壁の近位区分が、インプラント嵌合開口部を画成する表面から近位のおよそ55〜80センチメートルの距離に配置される、請求項10675記載の装置。
[請求項10677]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10665記載の装置。
[請求項10678]
管状壁の中央区分が、インプラント嵌合開口部を画成する表面から近位のおよそ35〜50センチメートルの距離に配置される、請求項10677記載の装置。
[請求項10679]
管状壁の遠位区分が、遠位区分における点とインプラント嵌合開口部を画成する表面との間の管状壁によって画成される縦軸の周りに20度のたわみで0.0005 in-lbsのモーメントを有する、請求項10665記載の装置。
[請求項10680]
管状壁の遠位区分が、インプラント嵌合開口部を画成する表面から近位のおよそ0〜35センチメートルの距離に配置される、請求項10679記載の装置。
[請求項10681]
第一の柔軟性が、近位区分の縦方向の長さにわたってほぼ一定である、請求項10665記載の装置。
[請求項10682]
管状壁の近位区分が、インプラント嵌合開口部を画成する表面から近位のおよそ55〜80センチメートルの距離に配置される、請求項10681記載の装置。
[請求項10683]
第二の柔軟性が、中央区分の縦方向の長さにわたって100〜1000%の割合で変化する、請求項10665記載の装置。
[請求項10684]
管状壁の中央区分が、インプラント嵌合開口部を画成する表面から近位のおよそ35〜50センチメートルの距離に配置される、請求項10683記載の装置。
[請求項10685]
第二の柔軟性が、中央区分の縦方向の長さにわたって800%の割合で変化する、請求項10665記載の装置。
[請求項10686]
管状壁の中央区分が、インプラント嵌合開口部を画成する表面から近位のおよそ35〜50センチメートルの距離に配置される、請求項10685記載の装置。
[請求項10687]
第三の柔軟性が、遠位区分の縦方向の長さにわたって100〜800%の割合で変化する、請求項10665記載の装置。
[請求項10688]
管状壁の遠位区分が、インプラント嵌合開口部を画成する表面から近位のおよそ0〜35センチメートルの距離に配置される、請求項10687記載の装置。
[請求項10689]
第三の柔軟性が、遠位区分の縦方向の長さにわたって700%の割合で変化する、請求項10665記載の装置。
[請求項10690]
管状壁の遠位区分が、インプラント嵌合開口部を画成する表面から近位のおよそ0〜35センチメートルの距離に配置される、請求項10689記載の装置。
[請求項10691]
第三の柔軟性が、遠位区分の縦方向の長さにわたって100〜900%の割合で変化する、請求項10665記載の装置。
[請求項10692]
管状壁の遠位区分が、インプラント嵌合開口部を画成する表面から近位のおよそ10〜35センチメートルの距離に配置される、請求項10691記載の装置。
[請求項10693]
第三の柔軟性が、遠位区分の縦方向の長さにわたって500%の割合で変化する、請求項10665記載の装置。
[請求項10694]
管状壁の遠位区分が、インプラント嵌合開口部を画成する表面から近位のおよそ10〜35センチメートルの距離に配置される、請求項10693記載の装置。
[請求項10695]
第三の柔軟性が、遠位区分の縦方向の長さにわたって一定の割合で変化する、請求項10665記載の装置。
[請求項10696]
縦方向の長さが、インプラント嵌合開口部を画成する表面から近位のおよそ5〜35センチメートルである、請求項10695記載の装置。
[請求項10697]
管状壁を包括的に2000〜4000度で蛇行させた場合に、内腔表面に対してコードの外表面がスライド可能なままである、請求項10632記載の装置。
[請求項10698]
管状壁の少なくとも一区分が、管状壁の近位区分の長さに及ぶ第一の柔軟性プロフィール、管状壁の中央区分の長さに及ぶ第二の柔軟性プロフィール、および管状壁の遠位区分の長さに及ぶ第三の柔軟性プロフィールを有する、請求項10697記載の装置。
[請求項10699]
管状壁の近位区分が、インプラント嵌合開口部を画成する表面から近位のおよそ55〜80センチメートルの距離に配置される、請求項10698記載の装置。
[請求項10700]
管状壁の中央区分が、インプラント嵌合開口部を画成する表面から近位のおよそ35〜50センチメートルの距離に配置される、請求項10698記載の装置。
[請求項10701]
管状壁の遠位区分が、インプラント嵌合開口部を画成する表面から近位のおよそ0〜35センチメートルの距離に配置される、請求項10698記載の装置。
[請求項10702]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10698記載の装置。
[請求項10703]
管状壁の近位区分が、インプラント嵌合開口部を画成する表面から近位のおよそ55〜80センチメートルの距離に配置される、請求項10702記載の装置。
[請求項10704]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10698記載の装置。
[請求項10705]
管状壁の中央区分が、インプラント嵌合開口部を画成する表面から近位のおよそ35〜50センチメートルの距離に配置される、請求項10704記載の装置。
[請求項10706]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10698記載の装置。
[請求項10707]
管状壁の遠位区分が、インプラント嵌合開口部を画成する表面から近位のおよそ0〜35センチメートルの距離に配置される、請求項10706記載の装置。
[請求項10708]
管状壁の近位区分が、近位区分における点とインプラント嵌合開口部を画成する表面との間の管状壁によって画成される縦軸の周りに20度のたわみで0.045 in-lbsのモーメントを有する、請求項10698記載の装置。
[請求項10709]
管状壁の近位区分が、インプラント嵌合開口部を画成する表面から近位のおよそ55〜80センチメートルの距離に配置される、請求項10708記載の装置。
[請求項10710]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10698記載の装置。
[請求項10711]
管状壁の中央区分が、インプラント嵌合開口部を画成する表面から近位のおよそ35〜50センチメートルの距離に配置される、請求項10710記載の装置。
[請求項10712]
管状壁の遠位区分が、遠位区分における点とインプラント嵌合開口部を画成する表面との間の管状壁によって画成される縦軸の周りに20度のたわみで0.0005 in-lbsのモーメントを有する、請求項10698記載の装置。
[請求項10713]
管状壁の遠位区分が、インプラント嵌合開口部を画成する表面から近位のおよそ0〜35センチメートルの距離に配置される、請求項10712記載の装置。
[請求項10714]
第一の柔軟性プロフィールが、近位区分の縦方向の長さにわたってほぼ一定である柔軟性を画成する、請求項10698記載の装置。
[請求項10715]
管状壁の近位区分が、インプラント嵌合開口部を画成する表面から近位のおよそ55〜80センチメートルの距離に配置される、請求項10714記載の装置。
[請求項10716]
第二の柔軟性プロフィールが、中央区分の縦方向の長さにわたって100〜1000%の割合で変化する柔軟性を画成する、請求項10698記載の装置。
[請求項10717]
管状壁の中央区分が、インプラント嵌合開口部を画成する表面から近位のおよそ35〜50センチメートルの距離に配置される、請求項10716記載の装置。
[請求項10718]
第二の柔軟性プロフィールが、中央区分の縦方向の長さにわたって800%の割合で変化する柔軟性を画成する、請求項10698記載の装置。
[請求項10719]
管状壁の中央区分が、インプラント嵌合開口部を画成する表面から近位のおよそ35〜50センチメートルの距離に配置される、請求項10718記載の装置。
[請求項10720]
第三の柔軟性プロフィールが、遠位区分の縦方向の長さにわたって100〜800%の割合で変化する柔軟性を画成する、請求項10698記載の装置。
[請求項10721]
管状壁の遠位区分が、インプラント嵌合開口部を画成する表面から近位のおよそ0〜35センチメートルの距離に配置される、請求項10720記載の装置。
[請求項10722]
第三の柔軟性プロフィールが、遠位区分の縦方向の長さにわたって700%の割合で変化する柔軟性を画成する、請求項10698記載の装置。
[請求項10723]
管状壁の遠位区分が、インプラント嵌合開口部を画成する表面から近位のおよそ0〜35センチメートルの距離に配置される、請求項10722記載の装置。
[請求項10724]
第三の柔軟性プロフィールが、遠位区分の縦方向の長さにわたって100〜900%の割合で変化する柔軟性を画成する、請求項10698記載の装置。
[請求項10725]
管状壁の遠位区分が、インプラント嵌合開口部を画成する表面から近位のおよそ10〜35センチメートルの距離に配置される、請求項10724記載の装置。
[請求項10726]
第三の柔軟性プロフィールが、遠位区分の縦方向の長さにわたって500%の割合で変化する柔軟性を画成する、請求項10698記載の装置。
[請求項10727]
管状壁の遠位区分が、インプラント嵌合開口部を画成する表面から近位のおよそ10〜35センチメートルの距離に配置される、請求項10726記載の装置。
[請求項10728]
第三の柔軟性プロフィールが、遠位区分の縦方向の長さにわたって一定の割合で変化する柔軟性を画成する、請求項10698記載の装置。
[請求項10729]
縦方向の長さが、インプラント嵌合開口部を画成する表面から近位のおよそ5〜35センチメートルである、請求項10728記載の装置。
[請求項10730]
管状壁の少なくとも一区分が、管状壁の近位区分の長さに及ぶ第一の柔軟性を画成する第一の柔軟性プロフィール、管状壁の中央区分の長さに及ぶ第二の柔軟性を画成する第二の柔軟性プロフィール、および管状壁の遠位区分の長さに及ぶ第三の柔軟性を画成する第三の柔軟性プロフィールを有し、第二の柔軟性が、第一および第三の柔軟性より大きい割合で変化する、請求項10697記載の装置。
[請求項10731]
管状壁の近位区分が、インプラント嵌合開口部を画成する表面から近位のおよそ55〜80センチメートルの距離に配置される、請求項10730記載の装置。
[請求項10732]
管状壁の中央区分が、インプラント嵌合開口部を画成する表面から近位のおよそ35〜50センチメートルの距離に配置される、請求項10730記載の装置。
[請求項10733]
管状壁の遠位区分が、インプラント嵌合開口部を画成する表面から近位のおよそ0〜35センチメートルの距離に配置される、請求項10730記載の装置。
[請求項10734]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10730記載の装置。
[請求項10735]
管状壁の近位区分が、インプラント嵌合開口部を画成する表面から近位のおよそ55〜80センチメートルの距離に配置される、請求項10734記載の装置。
[請求項10736]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10730記載の装置。
[請求項10737]
管状壁の中央区分が、インプラント嵌合開口部を画成する表面から近位のおよそ35〜50センチメートルの距離に配置される、請求項10736記載の装置。
[請求項10738]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10730記載の装置。
[請求項10739]
管状壁の遠位区分が、インプラント嵌合開口部を画成する表面から近位のおよそ0〜35センチメートルの距離に配置される、請求項10738記載の装置。
[請求項10740]
管状壁の近位区分が、近位区分における点とインプラント嵌合開口部を画成する表面との間の管状壁によって画成される縦軸の周りに20度のたわみで0.045 in-lbsのモーメントを有する、請求項10730記載の装置。
[請求項10741]
管状壁の近位区分が、インプラント嵌合開口部を画成する表面から近位のおよそ55〜80センチメートルの距離に配置される、請求項10740記載の装置。
[請求項10742]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10730記載の装置。
[請求項10743]
管状壁の中央区分が、インプラント嵌合開口部を画成する表面から近位のおよそ35〜50センチメートルの距離に配置される、請求項10742記載の装置。
[請求項10744]
管状壁の遠位区分が、遠位区分における点とインプラント嵌合開口部を画成する表面との間の管状壁によって画成される縦軸の周りに20度のたわみで0.0005 in-lbsのモーメントを有する、請求項10730記載の装置。
[請求項10745]
管状壁の遠位区分が、インプラント嵌合開口部を画成する表面から近位のおよそ0〜35センチメートルの距離に配置される、請求項10744記載の装置。
[請求項10746]
第一の柔軟性が、近位区分の縦方向の長さにわたってほぼ一定である、請求項10730記載の装置。
[請求項10747]
管状壁の近位区分が、インプラント嵌合開口部を画成する表面から近位のおよそ55〜80センチメートルの距離に配置される、請求項10746記載の装置。
[請求項10748]
第二の柔軟性が、中央区分の縦方向の長さにわたって100〜1000%の割合で変化する、請求項10730記載の装置。
[請求項10749]
管状壁の中央区分が、インプラント嵌合開口部を画成する表面から近位のおよそ35〜50センチメートルの距離に配置される、請求項10748記載の装置。
[請求項10750]
第二の柔軟性が、中央区分の縦方向の長さにわたって800%の割合で変化する、請求項10730記載の装置。
[請求項10751]
管状壁の中央区分が、インプラント嵌合開口部を画成する表面から近位のおよそ35〜50センチメートルの距離に配置される、請求項10750記載の装置。
[請求項10752]
第三の柔軟性が、遠位区分の縦方向の長さにわたって100〜800%の割合で変化する、請求項10730記載の装置。
[請求項10753]
管状壁の遠位区分が、インプラント嵌合開口部を画成する表面から近位のおよそ0〜35センチメートルの距離に配置される、請求項10752記載の装置。
[請求項10754]
第三の柔軟性が、遠位区分の縦方向の長さにわたって700%の割合で変化する、請求項10730記載の装置。
[請求項10755]
管状壁の遠位区分が、インプラント嵌合開口部を画成する表面から近位のおよそ0〜35センチメートルの距離に配置される、請求項10754記載の装置。
[請求項10756]
第三の柔軟性が、遠位区分の縦方向の長さにわたって100〜900%の割合で変化する、請求項10730記載の装置。
[請求項10757]
管状壁の遠位区分が、インプラント嵌合開口部を画成する表面から近位のおよそ10〜35センチメートルの距離に配置される、請求項10756記載の装置。
[請求項10758]
第三の柔軟性が、遠位区分の縦方向の長さにわたって500%の割合で変化する、請求項10730記載の装置。
[請求項10759]
管状壁の遠位区分が、インプラント嵌合開口部を画成する表面から近位のおよそ10〜35センチメートルの距離に配置される、請求項10758記載の装置。
[請求項10760]
第三の柔軟性が、遠位区分の縦方向の長さにわたって一定の割合で変化する、請求項10730記載の装置。
[請求項10761]
縦方向の長さが、インプラント嵌合開口部を画成する表面から近位のおよそ5〜35センチメートルである、請求項10760記載の装置。
[請求項10762]
管状壁の縦方向の中心点に対して遠位に存在する管状壁の遠位区分を、包括的に900〜4000度の範囲で蛇行させた場合に、コードの外表面が内腔表面に対してスライド可能なままである、請求項10632記載の装置。
[請求項10763]
管状壁の少なくとも一区分が、管状壁の近位区分の長さに及ぶ第一の柔軟性プロフィール、管状壁の中央区分の長さに及ぶ第二の柔軟性プロフィール、および管状壁の遠位区分の長さに及ぶ第三の柔軟性プロフィールを有する、請求項10762記載の装置。
[請求項10764]
管状壁の近位区分が、インプラント嵌合開口部を画成する表面から近位のおよそ55〜80センチメートルの距離に配置される、請求項10763記載の装置。
[請求項10765]
管状壁の中央区分が、インプラント嵌合開口部を画成する表面から近位のおよそ35〜50センチメートルの距離に配置される、請求項10763記載の装置。
[請求項10766]
管状壁の遠位区分が、インプラント嵌合開口部を画成する表面から近位のおよそ0〜35センチメートルの距離に配置される、請求項10763記載の装置。
[請求項10767]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10763記載の装置。
[請求項10768]
管状壁の近位区分が、インプラント嵌合開口部を画成する表面から近位のおよそ55〜80センチメートルの距離に配置される、請求項10767記載の装置。
[請求項10769]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10763記載の装置。
[請求項10770]
管状壁の中央区分が、インプラント嵌合開口部を画成する表面から近位のおよそ35〜50センチメートルの距離に配置される、請求項10769記載の装置。
[請求項10771]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10763記載の装置。
[請求項10772]
管状壁の遠位区分が、インプラント嵌合開口部を画成する表面から近位のおよそ0〜35センチメートルの距離に配置される、請求項10771記載の装置。
[請求項10773]
管状壁の近位区分が、近位区分における点とインプラント嵌合開口部を画成する表面との間の管状壁によって画成される縦軸の周りに20度のたわみで0.045 in-lbsのモーメントを有する、請求項10763記載の装置。
[請求項10774]
管状壁の近位区分が、インプラント嵌合開口部を画成する表面から近位のおよそ55〜80センチメートルの距離に配置される、請求項10773記載の装置。
[請求項10775]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10763記載の装置。
[請求項10776]
管状壁の中央区分が、インプラント嵌合開口部を画成する表面から近位のおよそ35〜50センチメートルの距離に配置される、請求項10775記載の装置。
[請求項10777]
管状壁の遠位区分が、遠位区分における点とインプラント嵌合開口部を画成する表面との間の管状壁によって画成される縦軸の周りに20度のたわみで0.0005 in-lbsのモーメントを有する、請求項10763記載の装置。
[請求項10778]
管状壁の遠位区分が、インプラント嵌合開口部を画成する表面から近位のおよそ0〜35センチメートルの距離に配置される、請求項10777記載の装置。
[請求項10779]
第一の柔軟性プロフィールが、近位区分の縦方向の長さにわたってほぼ一定である柔軟性を画成する、請求項10763記載の装置。
[請求項10780]
管状壁の近位区分が、インプラント嵌合開口部を画成する表面から近位のおよそ55〜80センチメートルの距離に配置される、請求項10779記載の装置。
[請求項10781]
第二の柔軟性プロフィールが、中央区分の縦方向の長さにわたって100〜1000%の割合で変化する柔軟性を画成する、請求項10763記載の装置。
[請求項10782]
管状壁の中央区分が、インプラント嵌合開口部を画成する表面から近位のおよそ35〜50センチメートルの距離に配置される、請求項10781記載の装置。
[請求項10783]
第二の柔軟性プロフィールが、中央区分の縦方向の長さにわたって800%の割合で変化する柔軟性を画成する、請求項10763記載の装置。
[請求項10784]
管状壁の中央区分が、インプラント嵌合開口部を画成する表面から近位のおよそ35〜50センチメートルの距離に配置される、請求項10783記載の装置。
[請求項10785]
第三の柔軟性プロフィールが、遠位区分の縦方向の長さにわたって100〜800%の割合で変化する柔軟性を画成する、請求項10763記載の装置。
[請求項10786]
管状壁の遠位区分が、インプラント嵌合開口部を画成する表面から近位のおよそ0〜35センチメートルの距離に配置される、請求項10785記載の装置。
[請求項10787]
第三の柔軟性プロフィールが、遠位区分の縦方向の長さにわたって700%の割合で変化する柔軟性を画成する、請求項10763記載の装置。
[請求項10788]
管状壁の遠位区分が、インプラント嵌合開口部を画成する表面から近位のおよそ0〜35センチメートルの距離に配置される、請求項10787記載の装置。
[請求項10789]
第三の柔軟性プロフィールが、遠位区分の縦方向の長さにわたって100〜900%の割合で変化する柔軟性を画成する、請求項10763記載の装置。
[請求項10790]
管状壁の遠位区分が、インプラント嵌合開口部を画成する表面から近位のおよそ10〜35センチメートルの距離に配置される、請求項10789記載の装置。
[請求項10791]
第三の柔軟性プロフィールが、遠位区分の縦方向の長さにわたって500%の割合で変化する柔軟性を画成する、請求項10763記載の装置。
[請求項10792]
管状壁の遠位区分が、インプラント嵌合開口部を画成する表面から近位のおよそ10〜35センチメートルの距離に配置される、請求項10791記載の装置。
[請求項10793]
第三の柔軟性プロフィールが、遠位区分の縦方向の長さにわたって一定の割合で変化する柔軟性を画成する、請求項10763記載の装置。
[請求項10794]
縦方向の長さが、インプラント嵌合開口部を画成する表面から近位のおよそ5〜35センチメートルである、請求項10793記載の装置。
[請求項10795]
管状壁の少なくとも一区分が、管状壁の近位区分の長さに及ぶ第一の柔軟性を画成する第一の柔軟性プロフィール、管状壁の中央区分の長さに及ぶ第二の柔軟性を画成する第二の柔軟性プロフィール、および管状壁の遠位区分の長さに及ぶ第三の柔軟性を画成する第三の柔軟性プロフィールを有し、第二の柔軟性が、第一および第三の柔軟性より大きい割合で変化する、請求項10762記載の装置。
[請求項10796]
管状壁の近位区分が、インプラント嵌合開口部を画成する表面から近位のおよそ55〜80センチメートルの距離に配置される、請求項10795記載の装置。
[請求項10797]
管状壁の中央区分が、インプラント嵌合開口部を画成する表面から近位のおよそ35〜50センチメートルの距離に配置される、請求項10795記載の装置。
[請求項10798]
管状壁の遠位区分が、インプラント嵌合開口部を画成する表面から近位のおよそ0〜35センチメートルの距離に配置される、請求項10795記載の装置。
[請求項10799]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10795記載の装置。
[請求項10800]
管状壁の近位区分が、インプラント嵌合開口部を画成する表面から近位のおよそ55〜80センチメートルの距離に配置される、請求項10799記載の装置。
[請求項10801]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10795記載の装置。
[請求項10802]
管状壁の中央区分が、インプラント嵌合開口部を画成する表面から近位のおよそ35〜50センチメートルの距離に配置される、請求項10801記載の装置。
[請求項10803]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10795記載の装置。
[請求項10804]
管状壁の遠位区分が、インプラント嵌合開口部を画成する表面から近位のおよそ0〜35センチメートルの距離に配置される、請求項10803記載の装置。
[請求項10805]
管状壁の近位区分が、近位区分における点とインプラント嵌合開口部を画成する表面との間の管状壁によって画成される縦軸の周りに20度のたわみで0.045 in-lbsのモーメントを有する、請求項10795記載の装置。
[請求項10806]
管状壁の近位区分が、インプラント嵌合開口部を画成する表面から近位のおよそ55〜80センチメートルの距離に配置される、請求項10805記載の装置。
[請求項10807]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10795記載の装置。
[請求項10808]
管状壁の中央区分が、インプラント嵌合開口部を画成する表面から近位のおよそ35〜50センチメートルの距離に配置される、請求項10807記載の装置。
[請求項10809]
管状壁の遠位区分が、遠位区分における点とインプラント嵌合開口部を画成する表面との間の管状壁によって画成される縦軸の周りに20度のたわみで0.0005 in-lbsのモーメントを有する、請求項10795記載の装置。
[請求項10810]
管状壁の遠位区分が、インプラント嵌合開口部を画成する表面から近位のおよそ0〜35センチメートルの距離に配置される、請求項10809記載の装置。
[請求項10811]
第一の柔軟性が、近位区分の縦方向の長さにわたってほぼ一定である、請求項10795記載の装置。
[請求項10812]
管状壁の近位区分が、インプラント嵌合開口部を画成する表面から近位のおよそ55〜80センチメートルの距離に配置される、請求項10811記載の装置。
[請求項10813]
第二の柔軟性が、中央区分の縦方向の長さにわたって100〜1000%の割合で変化する、請求項10795記載の装置。
[請求項10814]
管状壁の中央区分が、インプラント嵌合開口部を画成する表面から近位のおよそ35〜50センチメートルの距離に配置される、請求項10813記載の装置。
[請求項10815]
第二の柔軟性が、中央区分の縦方向の長さにわたって800%の割合で変化する、請求項10795記載の装置。
[請求項10816]
管状壁の中央区分が、インプラント嵌合開口部を画成する表面から近位のおよそ35〜50センチメートルの距離に配置される、請求項10815記載の装置。
[請求項10817]
第三の柔軟性が、遠位区分の縦方向の長さにわたって100〜800%の割合で変化する、請求項10795記載の装置。
[請求項10818]
管状壁の遠位区分が、インプラント嵌合開口部を画成する表面から近位のおよそ0〜35センチメートルの距離に配置される、請求項10817記載の装置。
[請求項10819]
第三の柔軟性が、遠位区分の縦方向の長さにわたって700%の割合で変化する、請求項10795記載の装置。
[請求項10820]
管状壁の遠位区分が、インプラント嵌合開口部を画成する表面から近位のおよそ0〜35センチメートルの距離に配置される、請求項10819記載の装置。
[請求項10821]
第三の柔軟性が、遠位区分の縦方向の長さにわたって100〜900%の割合で変化する、請求項10795記載の装置。
[請求項10822]
管状壁の遠位区分が、インプラント嵌合開口部を画成する表面から近位のおよそ10〜35センチメートルの距離に配置される、請求項10821記載の装置。
[請求項10823]
第三の柔軟性が、遠位区分の縦方向の長さにわたって500%の割合で変化する、請求項10795記載の装置。
[請求項10824]
管状壁の遠位区分が、インプラント嵌合開口部を画成する表面から近位のおよそ10〜35センチメートルの距離に配置される、請求項10823記載の装置。
[請求項10825]
第三の柔軟性が、遠位区分の縦方向の長さにわたって一定の割合で変化する、請求項10795記載の装置。
[請求項10826]
縦方向の長さが、インプラント嵌合開口部を画成する表面から近位のおよそ5〜35センチメートルである、請求項10825記載の装置。
[請求項10827]
コードがインプラント嵌合開口部に近位に配置され、管状壁を包括的に900〜4000度の範囲で蛇行させた場合にコードがインプラント嵌合開口部から離れて移動可能なままである、請求項10001〜10277のいずれか一項記載の装置。
[請求項10828]
管状壁の少なくとも一区分が、管状壁の近位区分の長さに及ぶ第一の柔軟性プロフィール、管状壁の中央区分の長さに及ぶ第二の柔軟性プロフィール、および管状壁の遠位区分の長さに及ぶ第三の柔軟性プロフィールを有する、請求項10827記載の装置。
[請求項10829]
管状壁の近位区分が、インプラント嵌合開口部を画成する表面から近位のおよそ55〜80センチメートルの距離に配置される、請求項10828記載の装置。
[請求項10830]
管状壁の中央区分が、インプラント嵌合開口部を画成する表面から近位のおよそ35〜50センチメートルの距離に配置される、請求項10828記載の装置。
[請求項10831]
管状壁の遠位区分が、インプラント嵌合開口部を画成する表面から近位のおよそ0〜35センチメートルの距離に配置される、請求項10828記載の装置。
[請求項10832]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10828記載の装置。
[請求項10833]
管状壁の近位区分が、インプラント嵌合開口部を画成する表面から近位のおよそ55〜80センチメートルの距離に配置される、請求項10832記載の装置。
[請求項10834]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10828記載の装置。
[請求項10835]
管状壁の中央区分が、インプラント嵌合開口部を画成する表面から近位のおよそ35〜50センチメートルの距離に配置される、請求項10834記載の装置。
[請求項10836]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10828記載の装置。
[請求項10837]
管状壁の遠位区分が、インプラント嵌合開口部を画成する表面から近位のおよそ0〜35センチメートルの距離に配置される、請求項10836記載の装置。
[請求項10838]
管状壁の近位区分が、近位区分における点とインプラント嵌合開口部を画成する表面との間の管状壁によって画成される縦軸の周りに20度のたわみで0.045 in-lbsのモーメントを有する、請求項10828記載の装置。
[請求項10839]
管状壁の近位区分が、インプラント嵌合開口部を画成する表面から近位のおよそ55〜80センチメートルの距離に配置される、請求項10838記載の装置。
[請求項10840]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10828記載の装置。
[請求項10841]
管状壁の中央区分が、インプラント嵌合開口部を画成する表面から近位のおよそ35〜50センチメートルの距離に配置される、請求項10840記載の装置。
[請求項10842]
管状壁の遠位区分が、遠位区分における点とインプラント嵌合開口部を画成する表面との間の管状壁によって画成される縦軸の周りに20度のたわみで0.0005 in-lbsのモーメントを有する、請求項10828記載の装置。
[請求項10843]
管状壁の遠位区分が、インプラント嵌合開口部を画成する表面から近位のおよそ0〜35センチメートルの距離に配置される、請求項10842記載の装置。
[請求項10844]
第一の柔軟性プロフィールが、近位区分の縦方向の長さにわたってほぼ一定である柔軟性を画成する、請求項10828記載の装置。
[請求項10845]
管状壁の近位区分が、インプラント嵌合開口部を画成する表面から近位のおよそ55〜80センチメートルの距離に配置される、請求項10844記載の装置。
[請求項10846]
第二の柔軟性プロフィールが、中央区分の縦方向の長さにわたって100〜1000%の割合で変化する柔軟性を画成する、請求項10828記載の装置。
[請求項10847]
管状壁の中央区分が、インプラント嵌合開口部を画成する表面から近位のおよそ35〜50センチメートルの距離に配置される、請求項10846記載の装置。
[請求項10848]
第二の柔軟性プロフィールが、中央区分の縦方向の長さにわたって800%の割合で変化する柔軟性を画成する、請求項10828記載の装置。
[請求項10849]
管状壁の中央区分が、インプラント嵌合開口部を画成する表面から近位のおよそ35〜50センチメートルの距離に配置される、請求項10848記載の装置。
[請求項10850]
第三の柔軟性プロフィールが、遠位区分の縦方向の長さにわたって100〜800%の割合で変化する柔軟性を画成する、請求項10828記載の装置。
[請求項10851]
管状壁の遠位区分が、インプラント嵌合開口部を画成する表面から近位のおよそ0〜35センチメートルの距離に配置される、請求項10850記載の装置。
[請求項10852]
第三の柔軟性プロフィールが、遠位区分の縦方向の長さにわたって700%の割合で変化する柔軟性を画成する、請求項10828記載の装置。
[請求項10853]
管状壁の遠位区分が、インプラント嵌合開口部を画成する表面から近位のおよそ0〜35センチメートルの距離に配置される、請求項10852記載の装置。
[請求項10854]
第三の柔軟性プロフィールが、遠位区分の縦方向の長さにわたって100〜900%の割合で変化する柔軟性を画成する、請求項10828記載の装置。
[請求項10855]
管状壁の遠位区分が、インプラント嵌合開口部を画成する表面から近位のおよそ10〜35センチメートルの距離に配置される、請求項10854記載の装置。
[請求項10856]
第三の柔軟性プロフィールが、遠位区分の縦方向の長さにわたって500%の割合で変化する柔軟性を画成する、請求項10828記載の装置。
[請求項10857]
管状壁の遠位区分が、インプラント嵌合開口部を画成する表面から近位のおよそ10〜35センチメートルの距離に配置される、請求項10856記載の装置。
[請求項10858]
第三の柔軟性プロフィールが、遠位区分の縦方向の長さにわたって一定の割合で変化する柔軟性を画成する、請求項10828記載の装置。
[請求項10859]
縦方向の長さが、インプラント嵌合開口部を画成する表面から近位のおよそ5〜35センチメートルである、請求項10858記載の装置。
[請求項10860]
管状壁の少なくとも一区分が、管状壁の近位区分の長さに及ぶ第一の柔軟性を画成する第一の柔軟性プロフィール、管状壁の中央区分の長さに及ぶ第二の柔軟性を画成する第二の柔軟性プロフィール、および管状壁の遠位区分の長さに及ぶ第三の柔軟性を画成する第三の柔軟性プロフィールを有し、第二の柔軟性が第一および第三の柔軟性より大きい割合で変化する、請求項10827項記載の装置。
[請求項10861]
管状壁の近位区分が、インプラント嵌合開口部を画成する表面から近位のおよそ55〜80センチメートルの距離に配置される、請求項10860記載の装置。
[請求項10862]
管状壁の中央区分が、インプラント嵌合開口部を画成する表面から近位のおよそ35〜50センチメートルの距離に配置される、請求項10860記載の装置。
[請求項10863]
管状壁の遠位区分が、インプラント嵌合開口部を画成する表面から近位のおよそ0〜35センチメートルの距離に配置される、請求項10860記載の装置。
[請求項10864]
管状壁の近位区分が、近位区分における点とインプラント嵌合開口部を画成する表面との間の管状壁によって画成される縦軸の周りに20度のたわみで0.01〜0.50 in-lbsのモーメントを有する、請求項10860記載の装置。
[請求項10865]
管状壁の近位区分が、インプラント嵌合開口部を画成する表面から近位のおよそ55〜80センチメートルの距離に配置される、請求項10864記載の装置。
[請求項10866]
管状壁の中央区分が、中央区分における点とインプラント嵌合開口部を画成する表面との間の管状壁によって画成される縦軸の周りに20度のたわみで0.001〜0.100 in-lbsのモーメントを有する、請求項10860記載の装置。
[請求項10867]
管状壁の中央区分が、インプラント嵌合開口部を画成する表面から近位のおよそ35〜50センチメートルの距離に配置される、請求項10866記載の装置。
[請求項10868]
管状壁の遠位区分が、遠位区分における点とインプラント嵌合開口部を画成する表面との間の管状壁によって画成される縦軸の周りに20度のたわみで0.001〜0.0100 in-lbsのモーメントを有する、請求項10860記載の装置。
[請求項10869]
管状壁の遠位区分が、インプラント嵌合開口部を画成する表面から近位のおよそ0〜35センチメートルの距離に配置される、請求項10868記載の装置。
[請求項10870]
管状壁の近位区分が、近位区分における点とインプラント嵌合開口部を画成する表面との間の管状壁によって画成される縦軸の周りに20度のたわみで0.045 in-lbsのモーメントを有する、請求項10860記載の装置。
[請求項10871]
管状壁の近位区分が、インプラント嵌合開口部を画成する表面から近位のおよそ55〜80センチメートルの距離に配置される、請求項10870記載の装置。
[請求項10872]
管状壁の中央区分が、中央区分における点とインプラント嵌合開口部を画成する表面との間の管状壁によって画成される縦軸の周りに20度のたわみで0.0005〜0.045 in-lbsのモーメントを有する、請求項10860記載の装置。
[請求項10873]
管状壁の中央区分が、インプラント嵌合開口部を画成する表面から近位のおよそ35〜50センチメートルの距離に配置される、請求項10872記載の装置。
[請求項10874]
管状壁の遠位区分が、遠位区分における点とインプラント嵌合開口部を画成する表面との間の管状壁によって画成される縦軸の周りに20度のたわみで0.0005 in-lbsのモーメントを有する、請求項10860記載の装置。
[請求項10875]
管状壁の遠位区分が、インプラント嵌合開口部を画成する表面から近位のおよそ0〜35センチメートルの距離に配置される、請求項10874記載の装置。
[請求項10876]
第一の柔軟性が、近位区分の縦方向の長さにわたってほぼ一定である、請求項10860記載の装置。
[請求項10877]
管状壁の近位区分が、インプラント嵌合開口部を画成する表面から近位のおよそ55〜80センチメートルの距離に配置される、請求項10876記載の装置。
[請求項10878]
第二の柔軟性が、中央区分の縦方向の長さにわたって100〜1000%の割合で変化する、請求項10860記載の装置。
[請求項10879]
管状壁の中央区分が、インプラント嵌合開口部を画成する表面から近位のおよそ35〜50センチメートルの距離に配置される、請求項10878記載の装置。
[請求項10880]
第二の柔軟性が、中央区分の縦方向の長さにわたって800%の割合で変化する、請求項10860記載の装置。
[請求項10881]
管状壁の中央区分が、インプラント嵌合開口部を画成する表面から近位のおよそ35〜50センチメートルの距離に配置される、請求項10880記載の装置。
[請求項10882]
第三の柔軟性が、遠位区分の縦方向の長さにわたって100〜800%の割合で変化する、請求項10860記載の装置。
[請求項10883]
管状壁の遠位区分が、インプラント嵌合開口部を画成する表面から近位のおよそ0〜35センチメートルの距離に配置される、請求項10882記載の装置。
[請求項10884]
第三の柔軟性が遠位区分の縦方向の長さにわたって700%の割合で変化する、請求項10860記載の装置。
[請求項10885]
管状壁の遠位区分が、インプラント嵌合開口部を画成する表面から近位のおよそ0〜35センチメートルの距離に配置される、請求項10884記載の装置。
[請求項10886]
第三の柔軟性が、遠位区分の縦方向の長さにわたって100〜900%の割合で変化する、請求項10860記載の装置。
[請求項10887]
管状壁の遠位区分が、インプラント嵌合開口部を画成する表面から近位のおよそ10〜35センチメートルの距離に配置される、請求項10886記載の装置。
[請求項10888]
第三の柔軟性が、遠位区分の縦方向の長さにわたって500%の割合で変化する、請求項10860記載の装置。
[請求項10889]
管状壁の遠位区分が、インプラント嵌合開口部を画成する表面から近位のおよそ10〜35センチメートルの距離に配置される、請求項10888記載の装置。
[請求項10890]
第三の柔軟性が、遠位区分の縦方向の長さにわたって一定の割合で変化する、請求項10860記載の装置。
[請求項10891]
縦方向の長さが、インプラント嵌合開口部を画成する表面から近位のおよそ5〜35センチメートルである、請求項10890記載の装置。
[請求項10892]
管状壁の少なくとも一区分がスリーブによって囲まれる、請求項10001〜10277のいずれか一項記載の装置。
[請求項10893]
スリーブがPTFE製である、請求項10892記載の装置。
[請求項10894]
スリーブが、摩擦係数0.2またはそれ未満を有する低摩擦高分子材料で作製される、請求項10892記載の装置。
[請求項10895]
管状壁の少なくとも一区分を囲むスリーブ、管状壁、およびチューブを画成するスリーブをさらに含む、請求項10001〜10277のいずれか一項記載の装置。
[請求項10896]
管状壁が管状区分とスリーブ区分とを含み、スリーブ区分が管状区分の少なくとも一区分を囲む、請求項10001〜10277のいずれか一項記載の装置。
[請求項10897]
管状壁が、第一の材料で作製された管状区分と、異なる第二の材料で作製されたスリーブ区分とを含む、請求項10001〜10277のいずれか一項記載の装置。
[請求項10898]
管状壁が縦軸を画成し、かつ管状壁が、管状壁が管状区分とスリーブ区分とを含む少なくとも一つの直交断面を有する、請求項10001〜10277のいずれか一項記載の装置。
[請求項10899]
管状壁が第一の外部寸法および異なる第二の外部寸法を画成し、管状壁の第一の外部寸法に対応するライナーの第一の外部寸法が、管状壁の第二の外部寸法に対応するライナーの第二の外部寸法にほぼ等しくなるように、管状壁の外表面が多様な壁の厚さを有するライナーによって少なくとも部分的に囲まれている、請求項10001〜10277のいずれか一項記載の装置。
[請求項10900]
管状壁がストッパーの少なくとも一区分を囲む、請求項10001〜10277のいずれか一項記載の装置。
[請求項10901]
ストッパーが304ステンレススチール、高分子押し出し品、編組押し出し品、および非伸長高分子材料の少なくとも一つで作製される、請求項10900記載の装置。
[請求項10902]
ストッパーが、ストッパーの中を伸長する管腔を画成する内表面を有し、管腔がおよそ0.001〜0.012インチの内径を有する、請求項10900記載の装置。
[請求項10903]
ストッパーが、ストッパーの中を伸長する管腔を画成する内表面を有し、管腔がおよそ0.0022インチの内径を有する、請求項10900記載の装置。
[請求項10904]
ストッパーが、ストッパーの中を伸長する管腔を画成する内表面を有し、ストッパーが管状壁に溶接される、請求項10900記載の装置。
[請求項10905]
管状壁がライナーの少なくとも一区分を囲む、請求項10001〜10277のいずれか一項記載の装置。
[請求項10906]
ライナーがコードの少なくとも一区分を囲む、請求項10905記載の装置。
[請求項10907]
ライナーがPTFEで作製される、請求項10905記載の装置。
[請求項10908]
ライナーが、およそ0.002〜0.006インチの内径を有する内表面を有する、請求項10905記載の装置。
[請求項10909]
ライナーが、およそ0.005インチの内径を有する内表面を有する、請求項10905記載の装置。
[請求項10910]
ライナーが、およそ0.004〜0.008インチの外径を有する外表面を有する、請求項10905記載の装置。
[請求項10911]
ライナーが、およそ0.005インチの外径を有する外表面を有する、請求項10905記載の装置。
[請求項10912]
コードが、ワイヤ、ロッド、チューブ、糸、およびフィラメントの少なくとも一つである、請求項10001〜10277のいずれか一項記載の装置。
[請求項10913]
コードの少なくとも一区分が、環状の断面形状を有する、請求項10001〜10277のいずれか一項記載の装置。
[請求項10914]
コードの少なくとも一区分が、非環状の断面形状を有する、請求項10001〜10277のいずれか一項記載の装置。
[請求項10915]
コードの少なくとも一区分が、楕円形の断面形状を有する、請求項10001〜10277のいずれか一項記載の装置。
[請求項10916]
コードの少なくとも一区分が、対称性の断面形状を有する、請求項10001〜10277のいずれか一項記載の装置。
[請求項10917]
コードが、金属および高分子の少なくとも一つで作製される、請求項10001〜10277のいずれか一項記載の装置。
[請求項10918]
コードが304ステンレススチールで作製される、請求項10001〜10277のいずれか一項記載の装置。
[請求項10919]
コードが、およそ0.001〜0.005インチの外径を有する、請求項10001〜10277のいずれか一項記載の装置。
[請求項10920]
コードが、およそ0.00185インチの外径を有する、請求項10001〜10277のいずれか一項記載の装置。
[請求項10921]
管状壁がコードの区分を囲む、請求項10001〜10277のいずれか一項記載の装置。
[請求項10922]
コードが管状壁によって画成される管腔に配置される、請求項10001〜10277のいずれか一項記載の装置。
[請求項10923]
コードの末端が、管状壁によって画成される管腔の区分から伸長する、請求項10001〜10277のいずれか一項記載の装置。
[請求項10924]
コードの末端が、インプラント嵌合開口部に隣接して配置される、請求項10001〜10277のいずれか一項記載の装置。
[請求項10925]
コードの末端が、インプラント嵌合開口部に接するように配置される、請求項10001〜10277のいずれか一項記載の装置。
[請求項10926]
コードの末端が、インプラント嵌合開口部に配置される、請求項10001〜10277のいずれか一項記載の装置。
[請求項10927]
コードが、管状壁によって画成されるチューブの反対側の末端から伸長する、請求項10001〜10277のいずれか一項記載の装置。
[請求項10928]
コードが管状壁の遠位区分においてインプラント嵌合開口部に対して近位の第一および第二の区分を有し、コードの第一の区分が、管状壁によって画成される軸と交差し、かつコードの第二の区分が管状壁に接する、請求項10001〜10277のいずれか一項記載の装置。
[請求項10929]
コードが管状壁の長さより大きい長さを有する、請求項10001〜10277のいずれか一項記載の装置。
[請求項10930]
コードが、管状壁によって画成されるチューブの長さより大きい長さを有する、請求項10001〜10277のいずれか一項記載の装置。
[請求項10931]
管状壁が近位末端と遠位末端を有し、近位末端と遠位末端のそれぞれが、管状壁を通して既定の長さで配置される管腔を画成する開口部を有し、コードが管腔に配置され、管腔に配置されたコードの区分が既定の長さより大きいコード長を有する、請求項10001〜10277のいずれか一項記載の装置。
[請求項10932]
コード長が、既定の長さよりおよそ0.001〜0.040インチ長い、請求項10931記載の装置。
[請求項10933]
コード長が、既定の長さよりおよそ0.027インチ長い、請求項10931記載の装置。
[請求項10934]
管状壁が、近位末端と遠位末端とを有するチューブを画成し、近位末端と遠位末端が、それぞれチューブを通して配置されたチューブ管腔を画成する開口部を有し、チューブ管腔の区分が、チューブの壁から管腔の中に伸長する近位壁を有し、かつ近位末端開口部と近位壁との間の既定の距離を画成し、コードが管腔に配置され、コードの区分が、管腔に配置される遠位表面を有する拡大区分を有し、かつ近位壁に接する、請求項10001〜10277のいずれか一項記載の装置。
[請求項10935]
管状壁を3ニュートンより大きい伸長力に供した場合に、近位壁に接する、請求項10934記載の装置。
[請求項10936]
管状壁を2〜3ニュートンの伸長力に供した場合に、近位壁に接する、請求項10934記載の装置。
[請求項10937]
コードが、接着剤によって管状壁に対してある位置に一時的に固定される、請求項10001〜10277のいずれか一項記載の装置。
[請求項10938]
コードの区分がコイニング加工された(coined)領域を有する、請求項10001〜10277のいずれか一項記載の装置。
[請求項10939]
コードの区分が、コードの別の区分の別の外部寸法より大きい外部寸法を有する、請求項10001〜10277のいずれか一項記載の装置。
[請求項10940]
コードの区分がコードの拡大区分を画成し、拡大区分が、コードの外部寸法より大きい外部寸法を有する、請求項10001〜10277のいずれか一項記載の装置。
[請求項10941]
コードの第一の区分が第一の断面形状を有し、コードの第二の区分が異なる第二の断面形状を有する、請求項10001〜10277のいずれか一項記載の装置。
[請求項10942]
コードが、近位コード区分および遠位コード区分を含み、コードの曲がり目が近位区分と遠位区分との間に配置される、請求項10001〜10277のいずれか一項記載の装置。
[請求項10943]
コードが近位コード区分と遠位コード区分を含み、コードのねじれが近位コード区分と遠位コード区分との間に配置される、請求項10001〜10277のいずれか一項記載の装置。
[請求項10944]
コードが、近位コード区分と遠位コード区分を含み、中央部材が近位コード区分と遠位コード区分との間に配置され、中央部材が、遠位コード区分の外部寸法より大きい外部寸法を有する、請求項10001〜10277のいずれか一項記載の装置。
[請求項10945]
中央部材の外部寸法が、およそ0.0015〜0.0120インチである、請求項10944記載の装置。
[請求項10946]
中央部材の外部寸法が、およそ0.0028インチである、請求項10944記載の装置。
[請求項10947]
コードが、管状壁によって画成されるチューブ内に移動可能に配置される、請求項10001〜10277のいずれか一項記載の装置。
[請求項10948]
コードが、管状壁によって画成されるチューブ内にスライド可能に配置される、請求項10001〜10277のいずれか一項記載の装置。
[請求項10949]
コードの近位末端の移動が、コードの遠位末端の移動を引き起こす、請求項10001〜10277のいずれか一項記載の装置。
[請求項10950]
インプラントが埋め込み型コイルである、請求項10001〜10277のいずれか一項記載の装置。
[請求項10951]
インプラントが神経コイルである、請求項10001〜10277のいずれか一項記載の装置。
[請求項10952]
インプラントがステントである、請求項10001〜10277のいずれか一項記載の装置。
[請求項10953]
インプラントがステント-グラフトである、請求項10001〜10277のいずれか一項記載の装置。
[請求項10954]
インプラントが塞栓フィルターである、請求項10001〜10277のいずれか一項記載の装置。
[請求項10955]
伸長部が直線部材を含む、請求項10001〜10277のいずれか一項記載の装置。
[請求項10956]
伸長部がロッドを含む、請求項10001〜10277のいずれか一項記載の装置。
[請求項10957]
伸長部が伸長部の軸を画成する、請求項10001〜10277のいずれか一項記載の装置。
[請求項10958]
伸長部の軸がインプラントの軸と平行である、請求項10957記載の装置。
[請求項10959]
伸長部の軸がインプラントの軸と共線的である、請求項10957記載の装置。
[請求項10960]
伸長部の軸が、管状壁によって画成される軸と平行である、請求項10957記載の装置。
[請求項10961]
伸長部の軸が、管状壁によって画成される軸と共線的である、請求項10957記載の装置。
[請求項10962]
伸長部が伸長部の直線軸を画成する、請求項10001〜10277のいずれか一項記載の装置。
[請求項10963]
伸長部の少なくとも一区分がインプラントに配置される、請求項10001〜10277のいずれか一項記載の装置。
[請求項10964]
伸長部の少なくとも一区分がインプラントの内部の腔内に配置される、請求項10001〜10277のいずれか一項記載の装置。
[請求項10965]
伸長部の少なくとも一区分が、インプラント嵌合開口部に配置される、請求項10001〜10277のいずれか一項記載の装置。
[請求項10966]
伸長部の少なくとも一区分がインプラントとインプラント嵌合開口部との間に配置される、請求項10001〜10277のいずれか一項記載の装置。
[請求項10967]
伸長部の少なくとも一区分が環状の断面形状を有する、請求項10001〜10277のいずれか一項記載の装置。
[請求項10968]
伸長部の少なくとも一区分が非環状の断面形状を有する、請求項10001〜10277のいずれか一項記載の装置。
[請求項10969]
伸長部の少なくとも一区分が三角形の断面形状を有する、請求項10001〜10277のいずれか一項記載の装置。
[請求項10970]
伸長部の少なくとも一区分が対称性の断面形状を有する、請求項10001〜10277のいずれか一項記載の装置。
[請求項10971]
嵌合部材が球体を含む、請求項10001〜10277のいずれか一項記載の装置。
[請求項10972]
嵌合部材がボールの形状を有する、請求項10001〜10277のいずれか一項記載の装置。
[請求項10973]
嵌合部材が対称性の形状を有する、請求項10001〜10277のいずれか一項記載の装置。
[請求項10974]
嵌合部材が、伸長部の軸の周りに対称性の形状を有する、請求項10001〜10277のいずれか一項記載の装置。
[請求項10975]
嵌合部材が、伸長部の外部寸法より大きい外部寸法を有する、請求項10001〜10277のいずれか一項記載の装置。
[請求項10976]
嵌合部材が、インプラント嵌合開口部の寸法より小さい外部寸法を有する、請求項10001〜10277のいずれか一項記載の装置。
[請求項10977]
嵌合部材が嵌合部材の中心を画成し、中心が伸長部の軸に配置される、請求項10001〜10277のいずれか一項記載の装置。
[請求項10978]
嵌合部材が嵌合部材の中心を画成し、中心がインプラントの軸に配置される、請求項10001〜10277のいずれか一項記載の装置。
[請求項10979]
インプラントが管状壁の遠位に配置される、請求項10001〜10277のいずれか一項記載の装置。
[請求項10980]
インプラントが、インプラント嵌合開口部の遠位に配置される、請求項10001〜10277のいずれか一項記載の装置。
[請求項10981]
インプラントが、嵌合部材の遠位に配置される、請求項10001〜10277のいずれか一項記載の装置。
[請求項10982]
インプラントが、伸長部の少なくとも一区分に対して遠位に配置される、請求項10001〜10277のいずれか一項記載の装置。
[請求項10983]
嵌合部材が、内部の腔内で管状壁によって画成される縦軸方向に移動可能である、請求項10001〜10277のいずれか一項記載の装置。
[請求項10984]
嵌合部材が、内部の腔内で管状壁によって画成される縦軸に対して半径方向に移動可能である、請求項10001〜10277のいずれか一項記載の装置。
[請求項10985]
伸長部の一区分が、内部の腔内で管状壁によって画成される縦軸の方向に移動可能である、請求項10001〜10277のいずれか一項記載の装置。
[請求項10986]
伸長部の一区分が、内部の腔内で管状壁によって画成される縦軸に対して半径方向に移動可能である、請求項10001〜10277のいずれか一項記載の装置。
[請求項10987]
管状壁に対して直線軸の周りを回転可能である伸長部が伸長部の直線軸を画成する、請求項10001〜10277のいずれか一項記載の装置。
[請求項10988]
嵌合部材が、内部の腔内で伸長部によって画成される縦軸の周りを回転移動可能である、請求項10001〜10277のいずれか一項記載の装置。
[請求項10989]
嵌合部材が、内部の腔内で管状壁によって画成される縦軸の周りを回転移動可能である、請求項10001〜10277のいずれか一項記載の装置。
[請求項10990]
嵌合部材が、内部の腔内でインプラントによって画成される縦軸の周りを回転移動可能である、請求項10001〜10277のいずれか一項記載の装置。
[請求項10991]
伸長部の区分が、内部の腔内で伸長部によって画成される縦軸の周りを回転移動可能である、請求項10001〜10277のいずれか一項記載の装置。
[請求項10992]
伸長部の区分が、内部の腔内で管状壁によって画成される縦軸の周りを回転移動可能である、請求項10001〜10277のいずれか一項記載の装置。
[請求項10993]
伸長部の区分が、内部の腔内でインプラントによって画成される縦軸の周りを回転移動可能である、請求項10001〜10277のいずれか一項記載の装置。
[請求項10994]
伸長部によって画成される縦軸が、管状壁によって画成される軸に対して角度をなして配置される、請求項10001〜10277のいずれか一項記載の装置。
[請求項10995]
伸長部によって画成される縦軸が、インプラントによって画成される縦軸に対して角度をなして配置される、請求項10001〜10277のいずれか一項記載の装置。
[請求項10996]
伸長部が、管状壁によって画成される縦軸に対して既定の角度で配置される、請求項10001〜10277のいずれか一項記載の装置。
[請求項10997]
既定の角度が、遠位の壁の厚さによって画成される、請求項10996記載の装置。
[請求項10998]
既定の角度が、インプラント嵌合開口部の長さを画成する開口部の壁の長さによって画成される、請求項10996記載の装置。
[請求項10999]
開口部の壁が、インプラント嵌合開口部の円錐形状を画成する、請求項10998記載の装置。
[請求項11000]
既定の角度が、インプラント嵌合開口部の内径を画成する開口部の壁の内径によって画成される、請求項10996記載の装置。
[請求項11001]
既定の角度が、伸長部の長さによって画成される、請求項10996記載の装置。
[請求項11002]
既定の角度が、伸長部の外径によって画成される、請求項10996記載の装置。
[請求項11003]
既定の角度が、伸長部の外周囲面によって画成される、請求項10996記載の装置。
[請求項11004]
嵌合部材の表面が内部の腔内に配置される、請求項10001〜10277のいずれか一項記載の装置。
[請求項11005]
嵌合部材の表面が、管状壁によって画成されるチューブ内に配置される、請求項10001〜10277のいずれか一項記載の装置。
[請求項11006]
嵌合部材の表面が、インプラント嵌合開口部に対して近位に配置される、請求項10001〜10277のいずれか一項記載の装置。
[請求項11007]
嵌合部材の表面が、コードの末端に対して近位に配置される、請求項10001〜10277のいずれか一項記載の装置。
[請求項11008]
嵌合部材の表面が、コードに隣接して配置される、請求項10001〜10277のいずれか一項記載の装置。
[請求項11009]
嵌合部材の表面が、コードに接して配置される、請求項10001〜10277のいずれか一項記載の装置。
[請求項11010]
嵌合部材の表面が、管状壁に隣接して配置される、請求項10001〜10277のいずれか一項記載の装置。
[請求項11011]
嵌合部材の表面が、管状壁から離して配置される、請求項10001〜10277のいずれか一項記載の装置。
[請求項11012]
嵌合部材の表面が、内部の腔を画成する表面に隣接して配置される、請求項10001〜10277のいずれか一項記載の装置。
[請求項11013]
嵌合部材の表面が、内部の腔を画成する表面から離して配置される、請求項10001〜10277のいずれか一項記載の装置。
[請求項11014]
嵌合部材の表面が、装置の内表面に隣接して配置される、請求項10001〜10277のいずれか一項記載の装置。
[請求項11015]
嵌合部材の表面が、装置の内表面から離して配置される、請求項10001〜10277のいずれか一項記載の装置。
[請求項11016]
インプラント嵌合開口部が第一の開放領域と第二の開放領域とを有する、請求項10001〜10277のいずれか一項記載の装置。
[請求項11017]
嵌合部材が、管状部材によって画成される軸に直交する断面積を有し、第一の開放領域が嵌合部材の断面積より大きい、請求項11016記載の装置。
[請求項11018]
嵌合部材が、管状部材によって画成される軸に直交する断面積を有し、第二の開放領域が嵌合部材の断面積より小さい、請求項11016記載の装置。
[請求項11019]
インプラント嵌合開口部が、第一の閉塞寸法を画成する第一の開放領域と、第二の閉塞寸法を画成する第二の開放領域とを有する、請求項10001〜10277のいずれか一項記載の装置。
[請求項11020]
嵌合部材が、管状部材によって画成される軸に直交する断面寸法を有し、第一の閉塞寸法が嵌合部材の断面寸法より大きい、請求項11019記載の装置。
[請求項11021]
嵌合部材が、管状部材によって画成される軸に直交する断面寸法を有し、第二の閉塞寸法が嵌合部材の断面寸法より小さい、請求項11019記載の装置。
[請求項11022]
嵌合部材が嵌合部材閉塞寸法を画成し、インプラント嵌合開口部が、嵌合部材閉塞寸法より大きい寸法を画成する第一の開放領域、および嵌合部材閉塞寸法より小さい寸法を画成する第二の開放領域を有する、請求項10001〜10277のいずれか一項記載の装置。
[請求項11023]
嵌合部材とインプラント嵌合開口部が、第一の開放部寸法を画成する第一の開放領域、閉塞寸法、および第二の開放部寸法を画成する第二の開放領域を画成する、請求項10001〜10277のいずれか一項記載の装置。
[請求項11024]
第一の開放部寸法が閉塞寸法より大きい、請求項11023記載の装置。
[請求項11025]
第一の開放部寸法が、第二の開放部寸法より大きい、請求項11023記載の装置。
[請求項11026]
閉塞寸法が第二の開放部寸法より大きい、請求項11023記載の装置。
[請求項11027]
インプラント嵌合開口部を画成する表面がインプラント嵌合開口部断面寸法を画成し、嵌合部材が嵌合部材断面寸法を画成し、かつコードがコード断面寸法を画成し;ならびにインプラント嵌合開口部断面寸法が、嵌合部材断面寸法より大きく、かつ嵌合部材の断面寸法が、インプラント嵌合開口部断面寸法マイナスコード断面寸法より大きい、請求項10001〜10277のいずれか一項記載の装置。
[請求項11028]
インプラント嵌合開口部を画成する表面がインプラント嵌合開口部断面寸法を画成し、かつ嵌合部材が嵌合部材断面寸法を画成し;ならびにインプラント嵌合開口部断面寸法が嵌合部材断面寸法より大きい、請求項10001〜10277のいずれか一項記載の装置。
[請求項11029]
インプラント嵌合開口部を画成する表面がインプラント嵌合開口部断面寸法を画成し、嵌合部材が嵌合部材断面寸法を画成し、かつコードがコード断面寸法を画成し;ならびに嵌合部材の断面寸法がインプラント嵌合開口部断面寸法マイナスコード断面寸法より大きい、請求項10001〜10277のいずれか一項記載の装置。
[請求項11030]
管状壁遠位末端がさらに壁部材とエンドキャップとを含み、エンドキャップが、インプラント嵌合開口部を画成する近位および遠位表面を有する、請求項10001〜10277のいずれか一項記載の装置。
[請求項11031]
エンドキャップが溶接によって壁部材に嵌合する、請求項11030記載の装置。
[請求項11032]
管状壁の近位および遠位表面が、インプラント嵌合開口部の長さを画成する、請求項10001〜10277のいずれか一項記載の装置。
[請求項11033]
管状壁の少なくとも一区分が、インプラント嵌合開口部をさらに画成するために遠位方向に先細りとなる、請求項10001〜10277のいずれか一項記載の装置。
[請求項11034]
管状壁の少なくとも一区分が、第二の寸法へと移行する第一の寸法を有する表面を有し、第二の寸法がインプラント嵌合開口部の末端を画成する、請求項10001〜10277のいずれか一項記載の装置。
[請求項11035]
インプラント嵌合開口部が環状の形状を有する、請求項10001〜10277のいずれか一項記載の装置。
[請求項11036]
インプラント嵌合開口部が非環状の形状を有する、請求項10001〜10277のいずれか一項記載の装置。
[請求項11037]
インプラント嵌合開口部が対称性の形状を有する、請求項10001〜10277のいずれか一項記載の装置。
[請求項11038]
インプラント嵌合開口部の少なくとも一区分が角度をなした形状を有する、請求項10001〜10277のいずれか一項記載の装置。
[請求項11039]
インプラント嵌合開口部の少なくとも一区分が角度をなした形状を有する、請求項10001〜10277のいずれか一項記載の装置。
[請求項11040]
インプラント嵌合開口部が、管状部材の軸に配置された中心を画成する、請求項10001〜10277のいずれか一項記載の装置。
[請求項11041]
インプラント嵌合開口部が管状部材の軸に隣接する中心を画成する、請求項10001〜10277のいずれか一項記載の装置。
[請求項11042]
インプラント嵌合開口部が管状部材の軸に対して近位の中心を画成する、請求項10001〜10277のいずれか一項記載の装置。
[請求項11043]
コードが管腔および管状壁の遠位に配置される、請求項10001〜10277のいずれか一項記載の装置。
[請求項11044]
キャップが、内部の腔に通じるインプラント嵌合開口部を画成し、管状壁によって画成される軸に直交するインプラント嵌合開口部の大きさが管状壁の内部直径より小さく、コードが近位末端、遠位末端、および周囲面を有し、ならびに伸長部の少なくとも一区分がコードの周囲面に嵌合するように内部の腔内に配置される、
管状壁の遠位末端の近位に存在するキャップをさらに含む請求項10001〜10277のいずれか一項記載の装置。
[請求項11045]
インプラント嵌合開口部が、管状壁によって画成される内部直径より小さい開放幅を有し、コードが近位末端、遠位末端、および周囲面を有し、ならびに伸長部の少なくとも一区分がコードの周囲面に嵌合するように開放部に配置される、請求項10001〜10277のいずれか一項記載の装置。
[請求項11046]
管状壁がインプラント嵌合開口部の境界を画成し、境界が、管状壁によって画成される内部直径より小さい軸方向直交開放部寸法を有し、コードが、境界の開放部寸法より小さい軸方向直交寸法を有し、かつ伸長部が、軸方向直交寸法を有する区分を有し、コードの寸法と嵌め合い部材寸法との合計が開放部寸法より大きい、請求項10001〜10277のいずれか一項記載の装置。
[請求項11047]
コードが近位表面に接して、インプラント嵌合開口部の区分を塞ぐ、請求項10001〜10277のいずれか一項記載の装置。
[請求項11048]
コードが、管状壁の近位区分によって画成される縦軸に沿って配置され、管状壁の遠位区分における縦軸に隣接して配置される、請求項10001〜10277のいずれか一項記載の装置。
[請求項11049]
遠位区分におけるコードが部分的に縦軸に沿って配置される、請求項11048記載の装置。
[請求項11050]
遠位区分におけるコードが部分的に縦軸と交差する、請求項11048記載の装置。
[請求項11051]
管状壁が、連続的な内部放射状表面を有する同心円の環状区分を画成する、請求項10001〜10277のいずれか一項記載の装置。
[請求項11052]
コードの遠位末端の区分が、インプラント嵌合開口部に対して近位に配置される第一の位置、およびインプラント嵌合開口部から離して配置される第二の位置を有する、請求項10001〜10277のいずれか一項記載の装置。
[請求項11053]
インプラントが、水圧、熱、電気、または化学エネルギーを用いることなく、遠位末端から移動可能である、請求項10001〜10277のいずれか一項記載の装置。
[請求項11054]
制御部材が、管状壁の近位末端に軸方向に嵌合して、コードの近位末端に固く嵌合する、請求項10001〜10277のいずれか一項記載の装置。
[請求項11055]
制御部材が、管状壁の近位末端にスライド可能に嵌合する、請求項11054記載の装置。
[請求項11056]
制御部材が、管状壁の近位末端に固く嵌合する、請求項11054記載の装置。
[請求項11057]
制御部材が、管状壁の近位末端にスライド可能に嵌合し、かつ仮付け溶接によって最初の位置で支えられる、請求項11054記載の装置。
[請求項11058]
管状壁の内表面によって画成される管腔に配置されるマーカーをさらに含む、請求項10001〜10277のいずれか一項記載の装置。
[請求項11059]
マーカーがコイルである、請求項11058記載の装置。
[請求項11060]
マーカーが放射線不透過性である、請求項11058記載の装置。
[請求項11061]
放射線不透過性の白金/イリジウムコイルおよび白金/タングステンコイルの少なくとも一つであるマーカーをさらに含む、請求項10001〜10277のいずれか一項記載の装置。
[請求項11062]
白金、イリジウム、およびタングステンの少なくとも一つで作製されるマーカーをさらに含む、請求項10001〜10277のいずれか一項記載の装置。
[請求項11063]
およそ0.008〜0.018インチの外径を有するコイルであるマーカーをさらに含む、請求項10001〜10277のいずれか一項記載の装置。
[請求項11064]
およそ0.008インチの外径を有するコイルであるマーカーをさらに含む、請求項10001〜10277のいずれか一項記載の装置。
[請求項11065]
およそ0.005〜0.015インチの内径を有するコイルであるマーカーをさらに含む、請求項10001〜10277のいずれか一項記載の装置。
[請求項11066]
およそ0.006インチの外径を有するコイルであるマーカーをさらに含む、請求項10001〜10277のいずれか一項記載の装置。
[請求項11067]
およそ1〜6 ミリメートルの長さを有するコイルであるマーカーをさらに含む、請求項10001〜10277のいずれか一項記載の装置。
[請求項11068]
およそ3ミリメートルの長さを有するコイルであるマーカーをさらに含む、請求項10001〜10277のいずれか一項記載の装置。
[請求項11069]
管状壁が、インプラント嵌合開口部を画成する表面に対して近位の既定の距離に配置される縦方向の開放部を画成し、放射線不透過性のマーカーが縦方向の開放部に配置される、請求項10001〜10277のいずれか一項記載の装置。
[請求項11070]
管状壁が、縦軸および内部チューブ半径寸法を有するチューブを画成し、放射線不透過性のマーカーが外部マーカー半径寸法を有してチューブに配置され、外部マーカー半径寸法が内部チューブ半径寸法より大きい、請求項10001〜10277のいずれか一項記載の装置。
[請求項11071]
第一の部材が、第一の部材の面が第二の部材の面に接するようにヒンジの周りを回転するように回転可能に搭載され、第一および第二の部材の向かい合う面が、向かい合う面が互いに接する場合に周囲面に嵌合するように管状壁の周囲面の近位に配置される、縦方向のハウジング軸を画成し、かつ向かい合う面を有する向かい合う第一および第二の部材を囲むハウジング;
管腔が管状壁の近位部分を受容する第一および第二の内表面を有し、第一および第二の表面がそれぞれ、管状壁の近位部分を挿入することができる深さを画成する長さを有し、該長さが第一および第二の部材の向かい合う面の間の近位部分の位置に対応する、その中の管腔を画成する近位および遠位表面を有する受容部材;ならびに
向かい合う面が互いに対して既定の距離離れている第一の位置および向かい合う面が互いに対して近位である第二の位置を有し、第一の位置と第二の位置との間を移行する場合に、ハウジングの軸の方向に第一および第二の部材を移動させる第一および第二の部材を支えるスライドプラットホームを有する、ハウジングの軸に沿ってハウジング内に配置される作動部材
を含む、管状壁によって画成されるチューブに配置され、コードが周囲面を有する管状壁の近位部分に嵌合する、コードを回収するための装置。
[請求項11072]
インプラント位置付けシステムの遠位末端の壁によって画成されるインプラント嵌合開口部を通してインプラントに嵌合する伸長部を挿入する段階;
インプラント嵌合開口部に対して近位の伸長部の末端によって保持される嵌合部材を位置付ける段階;
インプラント嵌合開口部に対して近位で嵌合部材を保持するために、コードによってインプラント嵌合開口部を塞ぐ段階;および
インプラント位置付けシステムの遠位末端に対して伸長部の直線軸の周りに伸長部を回転させる段階
を含む、インプラント位置付けシステムによってインプラントを保持する方法。
[請求項11073]
インプラント位置付けシステムの遠位末端の壁によって画成されるインプラント嵌合開口部を通してインプラントに嵌合する伸長部を挿入する段階;
インプラント嵌合開口部に対して完全に近位の伸長部の末端によって保持される嵌合部材を位置付ける段階;
インプラント嵌合開口部に対して近位で嵌合部材を保持するためにコードによってインプラント嵌合開口部を塞ぐ段階;および
インプラント嵌合開口部に対して近位の領域内で嵌合部材を移動させる段階
を含む、インプラント位置付けシステムによってインプラントを保持する方法。
[請求項11074]
嵌合部材の移動が、インプラント位置付けシステムの遠位末端によって画成される軸方向への軸の移動を含む、請求項11073記載の方法。
[請求項11075]
インプラント位置付けシステムの遠位表面に接するように、インプラント近位表面を移動させる段階をさらに含む、請求項11073記載の方法。
[請求項11076]
インプラント嵌合開口部を画成する壁に接するように、嵌合部材の遠位表面を移動させる段階をさらに含む、請求項11073記載の方法。
[請求項11077]
嵌合部材が、インプラント嵌合開口部に配置された伸長部に嵌合する、インプラント位置付けシステムの遠位末端の壁によって画成されたインプラント嵌合開口部に対して近位に嵌合部材を保持する段階;および
妨害が嵌合部材の遠位表面にのみ接触する、コードの遠位末端によってインプラント嵌合開口部を通して嵌合部材の遠位移動を妨害する段階
を含む、インプラント位置付けシステムによってインプラントを保持する方法。
[請求項11078]
伸長部材の近位部分が患者の外部に存在し、インプラントが、伸長部材の遠位部分によって画成されるインプラント嵌合開口部に配置される伸長部に嵌合する嵌合部材によって伸長部材の遠位部分に嵌合する、コードおよび伸長部材の遠位部分を患者に挿入する段階;ならびに
伸長部材の遠位部分を患者に挿入しながら、遠位部分に対して伸長部の直線軸の周りにインプラントを回転させる段階
を含む、患者内でインプラントを位置付ける方法。
[請求項11079]
伸長部材の近位部分が患者の外部に存在し、インプラントが、伸長部材の遠位部分によって画成されるインプラント嵌合開口部に配置される伸長部に嵌合する嵌合部材によって伸長部材の遠位部分に嵌合する、伸長部材の遠位部分を患者に挿入する段階;ならびに
伸長部材の遠位部分を患者に挿入しながら、インプラントに対して遠位部分の直線軸の周りに遠位部分を回転させる段階
を含む、患者内でインプラントを位置付ける方法。
[請求項11080]
インプラント位置付けシステムの遠位末端の壁によって画成されるインプラント嵌合開口部を通してインプラントに嵌合する伸長部を挿入する段階;
インプラント嵌合開口部に対して完全に近位の伸長部の末端によって保持される嵌合部材を位置付ける段階;
インプラント嵌合開口部に対して近位の嵌合部材を保持するために、コードによってインプラント嵌合開口部を塞ぐ段階;および
保持されている間、伸長部の軸が、インプラント位置付けシステムの遠位末端の軸に対して角度をなすように内部の腔において嵌合部材を移動させる段階
を含む、インプラント位置付けシステムによってインプラントを保持する方法。
[請求項11081]
角度が30度である、請求項11080記載の方法。
[請求項11082]
インプラント位置付けシステムの遠位末端の壁によって画成されるインプラント嵌合開口部においてインプラントに嵌合する伸長部を挿入する段階;および
インプラント位置付けシステムの遠位末端から遠位に伸長するコードによって、インプラント嵌合開口部を塞ぐ段階
を含む、インプラントおよびインプラント位置付けシステムを組み立てる方法。
[請求項11083]
インプラント嵌合開口部の閉塞を一時的に維持するためにコードの遠位末端の位置を動かないようにする段階をさらに含む、請求項11082記載の方法。
[請求項11084]
インプラント位置付けシステムの遠位末端の壁によって画成されるインプラント嵌合開口部においてインプラントに嵌合する伸長部を挿入する段階;
壁の完全に近位の伸長部の末端によって保持される嵌合部材を位置付ける段階;および
コードによってインプラント嵌合開口部を塞ぐ段階
を含む、インプラントおよびインプラント位置付けシステムを組み立てる方法。
[請求項11085]
インプラント嵌合開口部の閉塞を一時的に維持するためにコードの遠位末端の位置を動かなくする段階をさらに含む、請求項11084記載の方法。
[請求項11086]
嵌合部材が、インプラント嵌合開口部に配置される伸長部に嵌合する、インプラント位置付けシステムの遠位末端の壁によって画成されるインプラント嵌合開口部に対して近位のコードによって嵌合部材を保持する段階;
嵌合部材が保持されている間に、インプラントの近位表面が、インプラント嵌合開口部を画成する壁に接するように、位置付けシステムを遠位に移動させる段階;および
嵌合部材が保持されている間に、嵌合部材の遠位表面が、インプラント嵌合開口部を画成する壁に接するように、位置付けシステムを近位に移動させる段階
を含む、インプラント位置付けシステムによってインプラントを位置付ける方法。
[請求項11087]
送達チューブの遠位末端が、患者の頚部の血管系に配置され、かつ送達チューブの近位末端が、患者の鼠径部の血管系の近位に配置されるように、患者の血管系に送達チューブを挿入する段階;
管状壁の遠位末端が送達チューブの遠位に配置されるように、かつ管状壁の近位末端が送達チューブの近位に配置されるように、送達チューブに、コードと管状壁の軸を画成する柔軟な管状壁とを挿入する段階であって、管状壁の遠位末端が、インプラント嵌合開口部を画成する遠位壁を有し、インプラントが、インプラント嵌合開口部において配置された伸長部を有する、段階;
管状壁の近位末端に対して遠位方向に第一の軸力を印加する段階;ならびに
管状壁の遠位末端を、第一の軸力の少なくとも90%である第二の軸力に遠位方向に供する段階
を含む、患者内でインプラントを位置付ける方法。
[請求項11088]
第一のマーカーを有する管状壁の遠位末端を患者に挿入する段階;
嵌合部材が、嵌合部材の遠位部分によって画成されるインプラント嵌合開口部に配置される伸長部に嵌合している、管状壁の近位末端を通して患者にコードと第二のマーカーを有する伸長部材の遠位部分とを挿入する段階;
患者における埋め込み部位の近位にインプラントを位置付ける段階;
第一のマーカーを第二のマーカーと整列させる段階;
インプラント嵌合開口部から離れるようにコードの遠位末端を移動させる段階;および
伸長部材からインプラントを離脱させる段階
を含む、患者内でインプラントを配置する方法。
[請求項11089]
コードが除去される前に管状壁の遠位に配置される、管状壁の遠位末端によって画成されるインプラント嵌合開口部から離れるようにコードの遠位末端を除去する段階;および
管状壁からインプラントを離脱させてインプラントを配置するためにインプラント嵌合開口部を通してインプラントに嵌合する伸長部の末端を移動させる段階
を含む、インプラントを配置する方法。
[請求項11090]
管状壁の遠位末端によって画成されるインプラント嵌合開口部から離れるようにコードの遠位部分を除去する段階;および
インプラントを配置するために、インプラント嵌合開口部を通してインプラント嵌合開口部に対して完全に近位の位置から嵌合部材を移動させる段階
を含む、インプラントを配置させる方法。
[請求項11091]
インプラント位置付けシステムの遠位末端の壁によって画成されるインプラント嵌合開口部を通してインプラントに嵌合する伸長部を挿入する段階;および
コードが、インプラント位置付けシステムの遠位末端から遠位に配置される、インプラント嵌合開口部を通して伸長部が通過することを防止するためにコードによってインプラント嵌合開口部を塞ぐ段階
を含む、インプラント位置付けシステムによってインプラントを嵌合させる方法。
[請求項11092]
インプラント位置付けシステムの遠位末端の壁によって画成されるインプラント嵌合開口部を通してインプラントに嵌合する伸長部を挿入する段階;
インプラント嵌合開口部の完全に近位の伸長部の末端によって保持される嵌合部材を位置付ける段階;および
インプラント嵌合開口部を通して嵌合部材が通過することを防止するために、コードによってインプラント嵌合開口部を塞ぐ段階
を含む、インプラント位置付けシステムによってインプラントを嵌合する方法。
[請求項11093]
嵌合部材が、伸長部材の遠位部分によって画成されるインプラント嵌合開口部に配置される伸長部に嵌合する、伸長部材の遠位末端とコードとを患者に挿入する段階;
伸長部材の近位部分およびコードが患者の体外に配置される、患者の埋め込み部位の近位にインプラントを位置付ける段階;
コードをインプラント嵌合開口部から離れるように移動させるために、インプラント嵌合開口部と嵌合部材との間の領域を通してコードの遠位末端を移動させる段階;ならびに
埋め込み部位でインプラントを配置させるために、インプラント嵌合開口部を通して嵌合部材を移動させる段階
を含む、患者内でインプラントを配置する方法。
[請求項11094]
コードの近位部分および伸長部材が患者の体外に配置され、インプラントが、伸長部材の遠位部分によって画成されるインプラント嵌合開口部に配置される伸長部に嵌合する嵌合部材によって伸長部材の遠位部分に嵌合する、コードの遠位部分および伸長部材を患者に挿入する段階;
伸長部材の近位部分に嵌合する制御部材に嵌合するコードの近位部分を移動させる段階;
インプラント嵌合開口部から近位にコードの遠位末端を移動させる段階;ならびに
伸長部材の遠位部分からインプラントを離脱させる段階
を含む、患者内でインプラントを配置する方法。
[請求項11095]
コードの近位部分および伸長部材が患者の体外に配置され、インプラントが、伸長部材の遠位部分によって画成されるインプラント嵌合開口部に配置される伸長部に嵌合する嵌合部材によって伸長部材の遠位部分に嵌合し、コードの遠位末端が伸長部材から遠位に伸長する、コードの遠位部分および伸長部材を患者に挿入する段階;
インプラント嵌合開口部から離れるようにコードの遠位末端を移動させる段階;ならびに
伸長部材の遠位部分からインプラントを離脱させる段階
を含む、患者内でインプラントを配置する方法。
[請求項11096]
嵌合部材が、インプラント嵌合開口部に配置された伸長部に嵌合している、縦軸を有するインプラント位置付けシステムの遠位末端の壁によって画成されたインプラント嵌合開口部に対して近位のコードによって嵌合部材を保持する段階;
インプラント嵌合開口部から離れるようにコードを移動させる段階;
インプラント位置付けシステムからインプラントを離脱させる段階;および
縦軸と平行な方向にのみインプラント嵌合開口部を通して嵌合部材を通過させる段階
を含む、インプラントを配置させる方法。
[請求項11097]
嵌合部材が、インプラント嵌合開口部の中を通過する場合に、縦軸に対して半径方向に移動しない、請求項11096記載の方法。
[請求項11098]
治療インプラントが、伸長部材の遠位部分によって画成されるインプラント嵌合開口部に配置される伸長部によって嵌合部材に嵌合される、コードと伸長部材の遠位部分とを患者に挿入する段階;
腔内で治療インプラントを位置付ける段階;
コードをインプラント嵌合開口部から離れるように移動させるために、インプラント嵌合開口部と嵌合部材との間の領域を通してコードの遠位末端を移動させる段階;および
伸長部材から治療インプラントを離脱させるために、伸長部材の遠位に嵌合部材を移動させる段階
を含む、患者における腔を治療的に処置する方法。
[請求項11099]
体の第一の領域の近位にガイドカテーテルの遠位末端を配置するために体にガイドカテーテルを挿入する段階;
インプラントと送達装置とを含有するマイクロカテーテルをガイドカテーテルの近位末端に挿入する段階;
腔に対して近位の体の第二の領域にガイドカテーテルを超えて遠位にマイクロカテーテルの遠位末端を進行させる段階;
マイクロカテーテルの遠位末端からインプラントが出るように、送達デバイスを遠位に進行させる段階;
腔にインプラントを配置する段階;および
送達デバイスからインプラントを離脱するために、送達デバイス内でコードを移動させる段階
を含む、体内の腔においてインプラントを位置付ける方法。
[請求項11100]
送達デバイスを進行させながら、インプラントが送達デバイスに対してインプラントの軸の周りを回転する、請求項11099記載の方法。
[請求項11101]
送達デバイスを進行させながら、インプラントが送達デバイスに対してインプラントの軸に沿って移動する、請求項11099記載の方法。
[請求項11102]
体の第一の領域の近位にガイドカテーテルの遠位末端を配置するために体にガイドカテーテルを挿入する段階;
インプラントと送達デバイスとを含有するマイクロカテーテルをガイドカテーテルの近位末端に挿入する段階;
腔に対して近位の体の第二の領域にガイドカテーテルを超えてマイクロカテーテルの遠位末端を遠位に進行させる段階;
インプラントが、マイクロカテーテルの遠位末端から出るように、送達デバイスを遠位に進行させる段階;
腔においてインプラントを配置する段階;および
送達デバイスからインプラントを離脱させるために、送達デバイスの開口部の大きさを変化させる段階
を含む、体の腔にインプラントを配置する方法。
[請求項11103]
送達デバイスを進行させながら、インプラントが送達デバイスに対してインプラントの軸の周りを回転する、請求項11102記載の方法。
[請求項11104]
送達デバイスを進行させながら、インプラントが送達デバイスに対してインプラントの軸に沿って移動する、請求項11102記載の方法。
[請求項11105]
体の第一の領域の近位にガイドカテーテルの遠位末端を配置するために体にガイドカテーテルを挿入する段階;
インプラントと送達デバイスとを含有するマイクロカテーテルをガイドカテーテルの近位末端に挿入する段階;
腔に対して近位の体の第二の領域にガイドカテーテルを超えてマイクロカテーテルの遠位末端を遠位に進行させる段階;
インプラントが、マイクロカテーテルの遠位末端から出るように、送達デバイスを遠位に進行させる段階;
腔においてインプラントを配置する段階;および
送達デバイスからインプラントを離脱させるために、送達デバイスの開口部を開く段階
を含む、体の腔にインプラントを配置する方法。
[請求項11106]
送達デバイスを進行させながら、インプラントが送達デバイスに対してインプラントの軸の周りを回転する、請求項11105記載の方法。
[請求項11107]
送達デバイスを進行させながら、インプラントが送達デバイスに対してインプラントの軸に沿って移動する、請求項11105記載の方法。